(57)【要約】【課題】ユーザーが意図する構図の画像を簡単にプリントできるプリンター及びプリンター付きデジタルカメラ、並びに、プリント方法を提供する。【解決手段】フレームレイアウトをモニターに表示する。操作部の操作に基づいて、内部メモリーに記憶された画像を各フレームに表示して、各フレームに配置する画像を選択する。この際、各フレームに対応する部分の画像を切り出して各フレームに画像を表示する。また、操作部の操作に基づいて、各フレームに配置する画像を各フレーム内でズーム及び／又は移動させ、各フレームに配置する画像を調整する。すべてのフレームに対する画像の設定が完了した後、プリントの指示に応じてモニターに表示された画像をプリントする。【選択図】  図２１
2018094839.tif 000002
【特許請求の範囲】
【請求項１】
メディアのプリント可能領域を複数のフレームに分割し、各フレームに画像を配置して、複数の画像を組み合わせた画像を１枚のメディアにプリントするプリンターであって、
表示部と、
操作部と、
複数の画像が記憶される画像記憶部と、
フレームレイアウトを前記表示部に表示し、前記操作部の操作に基づいて、前記画像記憶部に記憶された画像を各フレームに表示して、各フレームに配置する画像を選択させる画像選択部であって、各フレームに画像を表示する際に、各フレームに対応する部分の画像を切り出して各フレームに画像を表示して、各フレームに配置する画像を選択させる画像選択部と、
前記操作部の操作に基づいて、各フレームに配置する画像を各フレーム内でズーム及び／又は移動させて、各フレームに配置する画像を調整する画像調整部と、
前記操作部の操作に基づいて、前記表示部に表示中の画像のプリントの指示を受け付けるプリント指示受付部と、
を備えたプリンター。
【請求項２】
配置する画像の設定が完了したフレームに表示される画像と、配置する画像を設定中のフレームに表示される画像とが、区別可能に表示される、
請求項１に記載のプリンター。
【請求項３】
配置する画像の設定が完了したフレームに表示される画像と、配置する画像を設定中のフレームに表示される画像との間で画像の明度及び／又は彩度に差が付けられる、
請求項２に記載のプリンター。
【請求項４】
配置する画像の設定が完了したフレームに対して、設定済みであることを示すマークが表示される、
請求項２又は３に記載のプリンター。
【請求項５】
前記プリント指示受付部は、すべてのフレームに対する画像の設定が完了すると、前記操作部の操作に基づいて、前記表示部に表示中の画像のプリントの指示を受け付ける、
請求項１から４のいずれか１項に記載のプリンター。
【請求項６】
前記画像選択部は、あらかじめ定められた順番で各フレームに配置する画像を選択させる、
請求項１から５のいずれか１項に記載のプリンター。
【請求項７】
複数のフレームレイアウトを前記表示部に表示し、前記操作部の操作によって、プリントに使用するフレームレイアウトを選択させるフレームレイアウト選択部を更に備えた、
請求項１から６のいずれか１項に記載のプリンター。
【請求項８】
プリントした画像を前記画像記憶部に記録する記録制御部を更に備えた、
請求項１から７のいずれか１項に記載のプリンター。
【請求項９】
前記操作部は、
方向キーと、
回転ダイヤルと、
確定ボタンと
を備え、
前記方向キーによって、各フレームに配置する画像の切り換え、及び、画像の移動を指示し、
前記回転ダイヤルによって、画像のズームを指示し、
前記確定ボタンによって、各フレームに配置する画像を確定する、
請求項１から８のいずれか１項に記載のプリンター。
【請求項１０】
前記回転ダイヤルが、前記方向キーを兼ね、かつ、リング形状を有し、前記回転ダイヤルの内周部に前記確定ボタンが配置される、
請求項９に記載のプリンター。
【請求項１１】
前記プリント指示受付部は、すべてのフレームに対する画像の設定が完了すると、プリントの実行を問い合わせるダイアログを前記表示部に表示する、
請求項９又は１０に記載のプリンター。
【請求項１２】
前記プリント指示受付部は、すべてのフレームに対する画像の設定が完了すると、前記操作部に近接する画面の縁から前記ダイアログを表示させる、
請求項１１に記載のプリンター。
【請求項１３】
前記表示部に操作ガイドを表示する操作ガイド表示制御部を更に備えた、
請求項１から１２のいずれか１項に記載のプリンター。
【請求項１４】
前記操作ガイド表示制御部は、画像を選択しているフレーム及び画像を調整しているフレームを避けて前記操作ガイドを表示する、
請求項１３に記載のプリンター。
【請求項１５】
イメージセンサーと、
撮影の実行を指示する撮影指示部と、
前記撮影指示部で撮影の実行が指示された場合に、前記イメージセンサーで画像を撮影し、得られた画像を前記画像記憶部に記録する撮影制御部と、
請求項１から１４のいずれか１項に記載のプリンターと、
を備えたプリンター付きデジタルカメラ。
【請求項１６】
表示部と、操作部と、複数の画像が記憶される画像記憶部と、を備えたプリンターにおいて、メディアのプリント可能領域を複数に分割して設定された各フレームに画像を配置してプリントするプリント方法であって、
フレームレイアウトを前記表示部に表示する工程と、
前記操作部の操作に基づいて、前記画像記憶部に記憶された画像を各フレームに表示して、各フレームに配置する画像を選択する工程であって、各フレームに画像を表示する際に、各フレームに対応する部分の画像を切り出して各フレームに画像を表示して、各フレームに配置する画像を選択する工程と、
前記操作部の操作に基づいて、各フレームに配置する画像を各フレーム内でズーム及び／又は移動させて、各フレームに配置する画像を調整する工程と、
前記操作部の操作に基づいて、前記表示部に表示中の画像のプリントの指示を受け付ける工程と、
プリントの指示に基づいて、前記表示部に表示中の画像をプリントする工程と、
を備えたプリント方法。
【発明の詳細な説明】
【技術分野】
【０００１】
本発明は、プリンター及びプリンター付きデジタルカメラ、並びに、プリント方法に係り、特に複数の画像を組み合わせた画像を１枚のメディアにプリントするプリンター及びプリンター付きデジタルカメラ、並びに、プリント方法に関する。
【背景技術】
【０００２】
プリンター付きデジタルカメラとして、カメラボディーにプリンターを内蔵し、撮影した画像をその場でプリントできるデジタルカメラが知られている。
【０００３】
特許文献１には、プリンター付きデジタルカメラで画像をプリントする方法として、１枚のメディアに複数の画像をプリントする方法が記載されている。
【先行技術文献】
【特許文献】
【０００４】
【特許文献１】特開２００２−１１２１６４号公報
【発明の概要】
【発明が解決しようとする課題】
【０００５】
しかしながら、特許文献１に記載のプリント方法は、単に縮小した画像を並べて１枚のメディアにプリントするだけの構成のため、ユーザーが意図する構図の画像をプリントできないという欠点がある。
【０００６】
本発明は、このような事情に鑑みてなされたもので、ユーザーが意図する構図の画像を簡単にプリントできるプリンター及びプリンター付きデジタルカメラ、並びに、プリント方法を提供することを目的とする。
【課題を解決するための手段】
【０００７】
上記課題を解決するための手段は、次のとおりである。
【０００８】
（１）メディアのプリント可能領域を複数のフレームに分割し、各フレームに画像を配置して、複数の画像を組み合わせた画像を１枚のメディアにプリントするプリンターであって、表示部と、操作部と、複数の画像が記憶される画像記憶部と、フレームレイアウトを表示部に表示し、操作部の操作に基づいて、画像記憶部に記憶された画像を各フレームに表示して、各フレームに配置する画像を選択させる画像選択部であって、各フレームに画像を表示する際に、各フレームに対応する部分の画像を切り出して各フレームに画像を表示して、各フレームに配置する画像を選択させる画像選択部と、操作部の操作に基づいて、各フレームに配置する画像を各フレーム内でズーム及び／又は移動させて、各フレームに配置する画像を調整する画像調整部と、操作部の操作に基づいて、表示部に表示中の画像のプリントの指示を受け付けるプリント指示受付部と、を備えたプリンター。
【０００９】
本態様によれば、表示部にフレームレイアウトが表示され、各フレームに配置する画像を選択することで、複数の画像を組み合わせた画像を１枚のメディアにプリントできる。フレームレイアウトとは、メディアのプリント可能領域を分割して設定したフレームの割り付けである。各フレームに配置する画像は、画像記憶部に記憶された複数の画像の中から選択される。画像の選択は、画像記憶部に記憶された画像を各フレームに表示することにより行われる。画像の切換は、操作部の操作に基づいて行われる。各フレームに画像を表示する際、各フレームに対応する部分の画像が切り出されて表示される。たとえば、左右二分割されたフレームレイアウトの場合、右側のフレームには、画像の右半分を切り出した画像が表示され、左側のフレームには、画像の左半分を切り出した画像が表示される。選択された画像は、必要に応じてフレーム内でズーム及び／又は移動させられて調整される。調整は、操作部の操作に基づいて行われる。これにより、所望の構図の画像を生成できる。生成された画像は、プリントの指示に応じてプリントされる。
【００１０】
（２）配置する画像の設定が完了したフレームに表示される画像と、配置する画像を設定中のフレームに表示される画像とが、区別可能に表示される、上記（１）のプリンター。
【００１１】
本態様によれば、配置する画像の設定が完了したフレームに表示される画像と、配置する画像を設定中のフレームに表示される画像とが、区別可能に表示される。これにより、視認性を向上でき、より良好な操作性を提供できる。
【００１２】
（３）配置する画像の設定が完了したフレームに表示される画像と、配置する画像を設定中のフレームに表示される画像との間で画像の明度及び／又は彩度に差が付けられて表示される、上記（２）のプリンター。
【００１３】
本態様によれば、配置する画像の設定が完了したフレームに表示される画像と、配置する画像を設定中のフレームに表示される画像との間で画像の明度及び／又は彩度に差が付けられることにより、両者が区別可能に表示される。これにより、一見して画像の設定が完了しているフレームと、画像の設定が完了していないフレームとを区別できる。
【００１４】
（４）配置する画像の設定が完了したフレームに対して、設定済みであることを示すマークが表示される、上記（２）又は（３）のプリンター。
【００１５】
本態様によれば、配置する画像の設定が完了したフレームに対して、設定済みであることを示すマークが付される。これにより、一見して画像の設定が完了しているフレームと、画像の設定が完了していないフレームとを区別できる。
【００１６】
（５）プリント指示受付部は、すべてのフレームに対する画像の設定が完了すると、操作部の操作に基づいて、表示部に表示中の画像のプリントの指示を受け付ける、上記（１）から（４）のいずれか一のプリンター。
【００１７】
本態様によれば、すべてのフレームに対する画像の設定が完了した場合にのみプリントが可能になる。これにより、プリントミスを未然に防止できる。
【００１８】
（６）画像選択部は、あらかじめ定められた順番で各フレームに配置する画像を選択させる、上記（１）から（５）のいずれか一のプリンター。
【００１９】
本態様によれば、あらかじめ定められた順番で各フレームに配置する画像が選択される。これにより、画像を選択するフレームを自動で切り換えでき、より操作性を向上できる。
【００２０】
（７）複数のフレームレイアウトを表示部に表示し、操作部の操作によって、プリントに使用するフレームレイアウトを選択させるフレームレイアウト選択部を更に備えた、上記（１）から（６）のいずれか一のプリンター。
【００２１】
本態様によれば、フレームレイアウトを選択できる。これにより、ユーザーが意図する構図の画像をより簡単にプリントできる。フレームレイアウトの選択は、表示部及び操作部を用いて行われる。具体的には、選択可能なフレームレイアウトが表示部に表示され、操作部の操作に基づいて、プリントに使用するフレームレイアウトが選択される。これにより、所望のフレームレイアウトを簡単に選択できる。
【００２２】
（８）プリントした画像を画像記憶部に記録する記録制御部を更に備えた、上記（１）から（７）のいずれか一のプリンター。
【００２３】
本態様によれば、プリントした画像を画像記憶部に記録できる。これにより、後日、同じ画像をプリントできる。
【００２４】
（９）操作部は、方向キーと、回転ダイヤルと、確定ボタンと、を備え、方向キーによって、各フレームに配置する画像の切り換え、及び、画像の移動を指示し、回転ダイヤルによって、画像のズームを指示し、確定ボタンによって、各フレームに配置する画像を確定する、上記（１）から（８）のいずれか一のプリンター。
【００２５】
本態様によれば、操作部が、方向キーと、回転ダイヤルと、確定ボタンと、を備え、方向キーを操作することによって、各フレームに配置する画像が切り換えられる。また、方向キーを操作することによって、各フレームに配置する画像がフレーム内で移動し、回転ダイヤルを操作することによって、各フレームに配置する画像がズームする。更に、確定ボタンを操作することによって、各フレームに配置する画像が確定する。
【００２６】
（１０）回転ダイヤルが、方向キーを兼ね、かつ、リング形状を有し、回転ダイヤルの内周部に確定ボタンが配置される、上記（９）のプリンター。
【００２７】
本態様によれば、回転ダイヤルが、方向キーを兼ね、回転操作及び方向操作が可能に構成される。これにより、構成を簡素化できる。また、回転ダイヤルは、リング形状で構成され、その内周部に確定ボタンが配置される。これにより、操作部を小型化でき、良好な操作性を提供できる。
【００２８】
（１１）プリント指示受付部は、すべてのフレームに対する画像の設定が完了すると、プリントの実行を問い合わせるダイアログを表示部に表示する、上記（９）又は（１０）のプリンター。
【００２９】
本態様によれば、すべてのフレームに対する画像の設定が完了すると、プリントの実行を問い合わせるダイアログが表示部に表示される。これにより、誤ってプリントするのを未然に防止できる。
【００３０】
（１２）プリント指示受付部は、すべてのフレームに対する画像の設定が完了すると、操作部に近接する画面の縁からダイアログを表示させる、上記（１１）のプリンター。
【００３１】
本態様によれば、プリントの実行を問い合わせるダイアログが、操作部に近接する画面の縁から表示される。これにより、操作部とダイアログとの関連性を明確にでき、良好な操作性を提供できる。
【００３２】
（１３）表示部に操作ガイドを表示する操作ガイド表示制御部を更に備えた、上記（１）から（１２）のいずれか一のプリンター。
【００３３】
本態様によれば、表示部に操作ガイドが表示される。操作ガイドとは、操作部による操作内容を案内する表示である。たとえば、各操作部材に割り当てられた操作内容が表示される。これにより、良好な操作性を提供できる。
【００３４】
（１４）操作ガイド表示制御部は、画像を選択しているフレーム及び画像を調整しているフレームを避けて操作ガイドを表示する、上記（１３）のプリンター。
【００３５】
本態様によれば、画像を選択しているフレーム及び画像を調整しているフレームを避けて操作ガイドが表示される。これにより、画像選択中のフレームの画像の視認性を向上でき、より操作性を向上できる。
【００３６】
（１５）イメージセンサーと、撮影の実行を指示する撮影指示部と、撮影指示部で撮影の実行が指示された場合に、イメージセンサーで画像を撮影し、得られた画像を画像記憶部に記録する撮影制御部と、上記（１）から（１４）のいずれか一のプリンターと、を備えたプリンター付きデジタルカメラ。
【００３７】
本態様によれば、デジタルカメラに上記（１）から（１４）のいずれか一のプリンターが備えられる。これにより、撮影した画像を組み合わせて１枚のメディアにプリントできる。
【００３８】
（１６）表示部と、操作部と、複数の画像が記憶される画像記憶部と、を備えたプリンターにおいて、メディアのプリント可能領域を複数に分割して設定された各フレームに画像を配置してプリントするプリント方法であって、フレームレイアウトを表示部に表示する工程と、操作部の操作に基づいて、画像記憶部に記憶された画像を各フレームに表示して、各フレームに配置する画像を選択する工程であって、各フレームに画像を表示する際に、各フレームに対応する部分の画像を切り出して各フレームに画像を表示して、各フレームに配置する画像を選択する工程と、操作部の操作に基づいて、各フレームに配置する画像を各フレーム内でズーム及び／又は移動させて、各フレームに配置する画像を調整する工程と、操作部の操作に基づいて、表示部に表示中の画像のプリントの指示を受け付ける工程と、プリントの指示に基づいて、表示部に表示中の画像をプリントする工程と、を備えたプリント方法。
【００３９】
本態様によれば、表示部にフレームレイアウトが表示され、各フレームに配置する画像を選択することで、複数の画像を組み合わせた画像を１枚のメディアにプリントできる。各フレームに配置する画像は、画像記憶部に記憶された複数の画像の中から選択される。画像の選択は、画像記憶部に記憶された画像を各フレームに表示することにより行われる。画像の切換は、操作部の操作に基づいて行われる。各フレームに画像を表示する際、各フレームに対応する部分の画像が切り出されて表示される。たとえば、左右二分割されたフレームレイアウトの場合、右側のフレームには、画像の右半分を切り出した画像が表示され、左側のフレームには、画像の左半分を切り出した画像が表示される。選択された画像は、必要に応じてフレーム内でズーム及び／又は移動させられて調整される。調整は、操作部の操作に基づいて行われる。これにより、所望の構図の画像を生成できる。生成された画像は、プリントの指示に応じてプリントされる。
【発明の効果】
【００４０】
本発明によれば、ユーザーが意図する構図の画像を簡単にプリントできる。
【図面の簡単な説明】
【００４１】
【図１】プリンター付きデジタルカメラの一実施形態を示す正面斜視図
【図２】プリンター付きデジタルカメラの一実施形態を示す背面斜視図
【図３】プリンター付きデジタルカメラの一実施形態を示す正面図
【図４】プリンター付きデジタルカメラの一実施形態を示す背面図
【図５】プリンター付きデジタルカメラの内部の機械的構成を示す図
【図６】インスタントフィルムの正面図
【図７】インスタントフィルムの背面図
【図８】プリンター付きデジタルカメラの電気的構成を示す図
【図９】システムコントローラーが実現する機能のブロック図
【図１０】オートモードでの処理手順を示すフローチャート
【図１１】ライブビュー中のモニターの画面表示の一例を示す図
【図１２】プレビュー中のモニターの画面表示の一例を示す図
【図１３】インスタントフィルムの排出状態を示す図
【図１４】プリントアニメーション処理時のモニターの画面表示の遷移を示す図
【図１５】マニュアルモードでの処理手順を示すフローチャート
【図１６】ダイアログが表示されたモニターの画面表示の一例を示す図
【図１７】再生モードの処理手順を示すフローチャート
【図１８】再生モードに設定された場合のモニターの画面表示の一例を示す図
【図１９】ダイアログが表示されたモニターの画面表示の一例を示す図
【図２０】１コマプリントの処理手順を示すフローチャート
【図２１】分割プリントの処理手順を示すフローチャート
【図２２】フレームレイアウトの一例を示す図
【図２３】フレームレイアウトの選択画面の表示の一例を示す図
【図２４】フレームレイアウトの選択後のモニターの表示の一例を示す図
【図２５】各フレームに配置する画像の設定処理の手順を示すフローチャート
【図２６】内部メモリーに記憶された４つの画像の一例を示す図
【図２７】順方向にコマ送りした場合のモニターの表示の遷移を示す図
【図２８】画像をズームした場合の画面の表示の変化を示す図
【図２９】画像を移動させた場合の画面の表示の変化を示す図
【図３０】左右２分割フレームにおいて第２フレームの画像を選択する場合のモニターの画面表示の一例を示す図
【図３１】完成した画像がプレビューされたモニターの画面表示の一例を示す図
【図３２】設定済みであることを示すマークを表示して、画像設定済みのフレームと画像設定中のフレームとを区別できるようにする場合のモニターの画面表示の一例を示す図
【図３３】操作ガイドの表示の他の一例を示す図
【図３４】プリント確認用画像をあらかじめ表示しておく場合のプリントアニメーションの一例を示す図
【発明を実施するための形態】
【００４２】
以下、添付図面に従って本発明の好ましい実施の形態について詳説する。
【００４３】
◆◆プリンター付きデジタルカメラ◆◆
［外観構成］
図１から図４は、プリンター付きデジタルカメラの一実施形態を示す正面斜視図、背面斜視図、正面図、背面図である。
【００４４】
図１から図４に示すプリンター付きデジタルカメラ１は、インスタントフィルムをプリント用のメディアとして使用するプリンター付きデジタルカメラである。なお、図３及び図４において、矢印ｘで示す方向を左右方向とし、矢印ｙで示す方向を上下方向とする。左右方向は、横方向又は幅方向と同義である。また、上下方向は高さ方向と同義である。
【００４５】
プリンター付きデジタルカメラ１は、携帯可能なカメラボディー１０を備える。カメラボディー１０は、正面部に撮影レンズ１２、電源リング１４、第１レリーズボタン１６Ａ、第２レリーズボタン１６Ｂ、フラッシュ１８、及び、補助光ランプ２０を備える。また、カメラボディー１０は、背面部にモニター２２及び背面操作部２４を備える。更に、カメラボディー１０は、右側面部に撮影モード切換レバー２６を備え、天面部にプリント排出口２８を備える。
【００４６】
《カメラボディー》
カメラボディー１０は、全体として丸みを帯びた平たいブロック形状を有する。カメラボディー１０は、左右いずれの手でもグリップできるように、全体として左右対称な形状を有する。
【００４７】
カメラボディー１０は、本体部１０Ａ及び裏蓋部１０Ｂで構成される。裏蓋部１０Ｂは、カメラボディー１０の背面部を構成し、ヒンジ部１０Ｃを介して本体部１０Ａに開閉可能に設けられる。本体部１０Ａには、裏蓋部１０Ｂをロックする裏蓋部ロック機構が備えられる。裏蓋部１０Ｂは、閉じられると、裏蓋部ロック機構によって自動的にロックされる。ロックの解除は、裏蓋部１０Ｂに備えられたスライド式のロック解除レバー３０で行われる。ただし、プリント中は、操作が不能とされる。すなわち、プリント中は、裏蓋部１０Ｂが開けられないように強制的にロックされる。
【００４８】
《撮影レンズ》
撮影レンズ１２は、カメラボディー１０の正面の略中央位置に配置される。撮影レンズ１２は、単焦点レンズで構成される。
【００４９】
《電源リング》
電源リング１４は、プリンター付きデジタルカメラ１の電源をオン及びオフする操作部材である。電源リング１４は、リング形状を有し、撮影レンズ１２の同軸上に配置される。電源リング１４は、撮影レンズ１２の回りを回転操作されて、プリンター付きデジタルカメラ１の電源をオン及びオフする。電源リング１４の可動範囲は制限されており、可動範囲の一端まで回転させると、プリンター付きデジタルカメラ１の電源がオンされ、可動範囲の他端まで回転させると、プリンター付きデジタルカメラ１の電源がオフされる。
【００５０】
《第１レリーズボタン及び第２レリーズボタン》
第１レリーズボタン１６Ａ及び第２レリーズボタン１６Ｂは、撮影を指示する操作部材であり、撮影指示部の一例である。第１レリーズボタン１６Ａ及び第２レリーズボタン１６Ｂは、カメラボディー１０の正面に備えられ、左右対称に配置される。第１レリーズボタン１６Ａ及び第２レリーズボタン１６Ｂは、いわゆる「半押し」と「全押し」が可能な２段ストローク式の押圧ボタンで構成される。プリンター付きデジタルカメラ１は、第１レリーズボタン１６Ａ又は第２レリーズボタン１６Ｂの半押しで撮影準備が行われ、全押しで本撮影が行われる。本撮影とは、画像を記録するための撮影のことである。
【００５１】
《フラッシュ》
フラッシュ１８は、カメラボディー１０の正面に備えられ、撮影レンズ１２の略真上の位置に配置される。フラッシュ１８は、キセノン管で構成される。
【００５２】
《補助光ランプ》
補助光ランプ２０は、ＡＦ（AF : Auto Focus／自動焦点）用の補助光を発光するランプである。補助光ランプ２０は、暗い環境で撮影する場合に発光され、ＡＦの補助に供される。補助光ランプ２０は、ＬＥＤ（LED : Light Emitting Diode／発光ダイオード）で構成され、カメラボディー１０の正面に備えられる。
【００５３】
《モニター》
モニター２２は、表示部の一例である。モニター２２は、カラーＬＣＤ（LCD : Liquid Crystal Display／液晶ディスプレー）で構成される。モニター２２は、カメラボディー１０の背面に備えられる。モニター２２は、いわゆるワイドモニターであり、横長の画面を有する。
【００５４】
《背面操作部》
背面操作部２４は、ＯＫボタン２４ａ、コマンドダイヤル２４ｂ、及び、６つの機能ボタン２４ｃ１〜２４ｃ６を備える。ＯＫボタン２４ａ、コマンドダイヤル２４ｂ、及び、６つの機能ボタン２４ｃ１〜２４ｃ６は、同心円状に配置され、全体として円形の操作部を構成する。背面操作部２４は、カメラボディー１０の背面に備えられる。モニター２２と背面操作部２４は、共にカメラボディー１０の背面の幅方向の中央に配置され、上下に並べて配置される。特に、背面操作部２４は、カメラボディー１０を把持する手の親指で操作可能な位置に配置され、かつ、左右いずれの手でもほぼ同じ操作感で操作できるように左右対称に配置される。
【００５５】
〈ＯＫボタン〉
ＯＫボタン２４ａは、問い合わせに対してＯＫを指示するボタンである。ＯＫボタン２４ａは、円形の押圧ボタンで構成され、背面操作部２４の中央に配置される。
【００５６】
ＯＫボタン２４ａは、確定ボタン、メニューボタンとしても機能する。確定ボタンとは、選択した事項等を確定するボタンである。また、メニューボタンとは、モニター２２にメニュー画面を呼び出すボタンである。
【００５７】
〈コマンドダイヤル〉
コマンドダイヤル２４ｂは、リング形状のタッチセンサーで構成され、その表面を円に沿って撫でることで回転操作される。コマンドダイヤル２４ｂは、十字キーとしての機能も備え、上下左右の４方向に押圧操作可能に構成される。コマンドダイヤル２４ｂは、方向キーを兼ねた回転ダイヤルの一例である。
【００５８】
コマンドダイヤル２４ｂは、ＯＫボタン２４ａと同軸上に配置され、コマンドダイヤル２４ｂの内周部にＯＫボタン２４ａが配置される。これにより、カメラボディー１０をグリップする手の親指でコマンドダイヤル２４ｂ及びＯＫボタン２４ａを操作でき、良好な操作性を提供できる。
【００５９】
〈機能ボタン〉
６つの機能ボタン２４ｃ１〜２４ｃ６は、同一円周上に配置され、全体として１つの円を構成する。各ボタンは、同一形状であり、リングを６等分割した形状を有する。各ボタンは、押圧ボタンで構成される。
【００６０】
第１の機能ボタン２４ｃ１は、ビネットボタンとしての機能を有する。以下、第１の機能ボタン２４ｃ１をビネットボタンと称する。ビネットボタンとは、画像にビネット処理を施す機能を呼び出すボタンのことである。ビネット処理とは、画像の周辺を暗くする処理のことである。
【００６１】
第２の機能ボタン２４ｃ２は、エフェクトボタンとしての機能を有する。以下、第２の機能ボタン２４ｃ２をエフェクトボタンと称する。エフェクトボタンとは、画像にエフェクト処理を施す機能を呼び出すボタンのことである。エフェクト処理とは、画像に一定の効果を与える処理のことであり、たとえば、画像の色調を変更したり、ぼかしたりする処理が該当する。
【００６２】
第３の機能ボタン２４ｃ３は、明るさボタンとしての機能を有する。以下、第３の機能ボタン２４ｃ３を明るさボタンと称する。明るさボタンとは、画像の明るさを変更する機能を呼び出すボタンのことである。
【００６３】
第４の機能ボタン２４ｃ４は、プリントボタンとしての機能を有する。以下、第４の機能ボタン２４ｃ４をプリントボタンと称する。プリントボタンとは、モニター２２に表示中の画像に対してプリントを指示するボタンのことである。
【００６４】
第５の機能ボタン２４ｃ５は、バックボタンとしての機能を有する。以下、第５の機能ボタン２４ｃ５をバックボタンと称する。バックボタンとは、１つ前の状態に戻すことを指示するボタンのことである。１つ前の状態に戻すので、選択した事項、指示した事項等はキャンセルされる。したがって、バックボタン２４ｃ５は、キャンセルボタンとしての機能も有する。
【００６５】
第６の機能ボタン２４ｃ６は、再生ボタンとしての機能を有する。以下、第６の機能ボタン２４ｃ６を再生ボタンと称する。再生ボタンとは、再生モードへの切り換えを指示するボタンのことである。プリンター付きデジタルカメラ１が、撮影モードに設定されている状態で再生ボタン２４ｃ６を押圧すると、再生モードに切り換えられる。
【００６６】
なお、再生モードから撮影モードへの切り換えは、第１レリーズボタン１６Ａ又は第２レリーズボタン１６Ｂの操作で行われる。すなわち、プリンター付きデジタルカメラ１が再生モードに設定されている状態で第１レリーズボタン１６Ａ又は第２レリーズボタン１６Ｂが押圧されると、撮影モードに切り換えられる。
【００６７】
《撮影モード切換レバー》
撮影モード切換レバー２６は、撮影モードを切り換えるための操作部材である。撮影モード切換レバー２６は、スライド式のスイッチで構成され、カメラボディー１０の右側面に備えられる。撮影モード切換レバー２６をスライド操作して、「オート位置」に設定すると、撮影モードが「オートモード」に設定され、「マニュアル位置」に設定すると、撮影モードが「マニュアルモード」に設定される。オートモードの場合、撮影すると、撮影した画像が自動的にプリントされる。一方、マニュアルモードの場合、ユーザーからの指示に応じて、画像がプリントされる。この点については、後に詳述する。
【００６８】
《プリント排出口》
プリント排出口２８は、プリントされたインスタントフィルムの排出口である。プリント排出口２８は、インスタントフィルムが通過可能なスリットとして、カメラボディー１０の天面の幅方向の中央に備えられる。インスタントフィルム１１０は、プリント排出口２８から真上に向けて排出される。
【００６９】
［内部の機械的構成］
図５は、プリンター付きデジタルカメラの内部の機械的構成を示す図である。なお、図５には主要部の構成のみを示している。また、図５において、矢印ｚで示す方向をプリンター付きデジタルカメラ１の厚さ方向とする。
【００７０】
プリンター付きデジタルカメラ１の内部には、デジタルカメラに係る構成として、撮影レンズ１２及びイメージセンサー４２が備えられる。また、プリンターに係る構成として、インスタントフィルムパック１００、フィルム装填室５０、フィルム送出機構５２、フィルム搬送機構５４、及び、プリントヘッド５６が備えられる。
【００７１】
《デジタルカメラに係る構成》
〈撮影レンズ〉
撮影レンズ１２は、フォーカスレンズを含む複数のレンズで構成される。なお、図５では簡略化して１枚のレンズのみを図示している。撮影レンズ１２は、フォーカスレンズを光軸に沿って前後移動させることで、焦点調節される。
【００７２】
撮影レンズ１２には、絞り１２ａ及びシャッター１２ｂが備えられる。絞り１２ａによって撮影レンズ１２を通る光の光量が調整される。シャッター１２ｂによって、撮影レンズ１２を通る光が遮光される。
【００７３】
〈イメージセンサー〉
イメージセンサー４２は、たとえば、ＣＣＤイメージセンサー（CCD ： Charge Coupled Device）、ＣＭＯＳイメージセンサー（CMOS : Complementary Metal Oxide Semiconductor）等の二次元の固体撮像素子で構成される。イメージセンサー４２は、使用するインスタントフィルムのプリント可能領域に対応したアスペクト比の撮像領域を有する。
【００７４】
《プリンターに係る構成》
〈インスタントフィルムパック〉
インスタントフィルムパック１００は、複数枚のインスタントフィルム１１０がケース１２０に収容された構造を有する。
【００７５】
図６は、インスタントフィルムの正面図である。図７は、インスタントフィルムの背面図である。
【００７６】
図６及び図７において、矢印Ｆで示す方向が、インスタントフィルム１１０の使用方向である。すなわち、矢印Ｆで示す方向にインスタントフィルム１１０を送り、インスタントフィルム１１０を使用する。したがって、プリンター付きデジタルカメラ１に装填した場合は、矢印Ｆで示す方向が、インスタントフィルム１１０の排出方向となる。
【００７７】
インスタントフィルム１１０は、矩形のカード形状を有する。インスタントフィルム１１０は、裏面側が露光面１１０ａ、正面側が観察面１１０ｂとして構成される。露光面１１０ａが、露光により像を記録する面であり、観察面１１０ｂが、記録された像を観察する面である。
【００７８】
図７に示すように、インスタントフィルム１１０の露光面１１０ａには、露光部１１２、ポッド部１１４、及び、トラップ部１１６が備えられる。
【００７９】
露光部１１２は、露光により画像を記録する部分である。露光部１１２が、インスタントフィルム１１０のプリント可能領域となる。露光部１１２を挟んでポッド部１１４とトラップ部１１６とが前後に配置される。本実施の形態のインスタントフィルム１１０は、アスペクト比が１対１の正方形状の露光部１１２を有する。
【００８０】
ポッド部１１４は、露光部１１２に対して使用方向Ｆの前側に配置される。ポッド部１１４には、現像処理液を内包した現像処理液ポッド１１４ａが内蔵される。
【００８１】
トラップ部１１６は、露光部１１２に対して使用方向Ｆの後側に配置される。トラップ部１１６には、吸収材１１６ａが内蔵される。
【００８２】
図６に示すように、インスタントフィルム１１０の観察面１１０ｂには、観察部１１８が備えられる。観察部１１８は、画像が表示される部分である。露光部１１２を現像処理することにより、観察部１１８に画像が表示される。観察部１１８は、露光部１１２に対応して配置される。観察部１１８の周囲には、枠１１８ａが備えられる。したがって、画像は枠内に表示される。観察部１１８のアスペクト比は、露光部１１２と同じ１対１であり、正方形状を有する。
【００８３】
なお、インスタントフィルム１１０は、トラップ部１１６が上、ポッド部１１４が下となる向きで観賞する。したがって、画像は、トラップ部１１６が上、ポッド部１１４が下となる向きでプリントされる。
【００８４】
インスタントフィルム１１０は、露光後、ポッド部１１４の現像処理液を露光部１１２に展開させることにより現像処理される。ポッド部１１４の現像処理液は、インスタントフィルム１１０をローラー対の間に通すことで、ポッド部１１４から絞り出され、露光部１１２に展開される。展開処理時に余った現像処理液が、トラップ部１１６で捕捉される。
【００８５】
ケース１２０は、矩形の箱形状を有する。ケース１２０は、正面部分に露光用の開口部１２０ａを有し、かつ、天面部分にスリット状の排出口１２０ｂを有する。インスタントフィルム１１０は、露光面１１０ａをケース１２０の正面側に向け、かつ、ポッド部１１４をケース１２０の天面側に向けて、ケース内に重ねて収容される。
【００８６】
また、ケース１２０は、底面部分にスリット状のクロー開口部１２０ｃを有する。ケース１２０に収容されたインスタントフィルム１１０は、このクロー開口部１２０ｃからクローを進入させることにより、１枚ずつ排出口１２０ｂに向けて送られ、排出口１２０ｂから排出される。
【００８７】
１つのインスタントフィルムパック１００には、１０枚のインスタントフィルム１１０が収容される。
【００８８】
〈フィルム装填室〉
フィルム装填室５０は、インスタントフィルムパック１００の装填部である。フィルム装填室５０は、インスタントフィルムパック１００を収容可能な凹部としてカメラボディー１０の本体部１０Ａに備えられる。カメラボディー１０の裏蓋部１０Ｂを開けると、フィルム装填室５０が露呈し、インスタントフィルムパック１００の装填が可能になる。
【００８９】
〈フィルム送出機構〉
フィルム送出機構５２は、フィルム装填室５０に装填されたインスタントフィルムパック１００からインスタントフィルム１１０を１枚ずつ送り出す。フィルム送出機構５２は、インスタントフィルム１１０の送り方向に沿って前後移動するクロー５２ａを備え、そのクロー５２ａでケース内のインスタントフィルム１１０を１枚ずつ掻き出して、インスタントフィルム１１０をインスタントフィルムパック１００から送り出す。
【００９０】
〈フィルム搬送機構〉
フィルム搬送機構５４は、フィルム送出機構５２によってインスタントフィルムパック１００から送出されたインスタントフィルム１１０を一定速度で搬送する。フィルム搬送機構５４は、搬送ローラー対５４Ａ及び展開ローラー対５４Ｂを備える。
【００９１】
搬送ローラー対５４Ａは、図示しないモーターに駆動されて回転し、インスタントフィルム１１０の両サイドを挟持して搬送する。
【００９２】
展開ローラー対５４Ｂは、図示しないモーターに駆動されて回転し、インスタントフィルム１１０の全体を挟持して搬送する。そして、その搬送過程でインスタントフィルム１１０のポッド部１１４を押し潰して、現像処理液を展開処理する。
【００９３】
〈プリントヘッド〉
プリントヘッド５６は、インスタントフィルムパック１００から送り出されたインスタントフィルム１１０に画像を記録する。プリントヘッド５６は、ライン型の露光ヘッドで構成される。プリントヘッド５６は、フィルム搬送機構５４によって搬送されるインスタントフィルム１１０の露光面１１０ａに１ラインずつプリント光を照射し、１パスでインスタントフィルム１１０に画像を記録する。
【００９４】
［電気的構成］
図８は、プリンター付きデジタルカメラの電気的構成を示す図である。なお、図８には、主要部の構成のみを図示している。
【００９５】
プリンター付きデジタルカメラ１は、デジタルカメラに係る構成として、撮影レンズ１２、撮影レンズ駆動部２１２、イメージセンサー４２、イメージセンサー駆動部２１４、アナログ信号処理部２１６、画像データ入力部２１８、デジタル信号処理部２２０、及び、内部メモリー２２２を備える。また、プリンターに係る構成として、フィルム送出機構５２、フィルム送出機構駆動部２３０、フィルム搬送機構５４、フィルム搬送機構駆動部２３２、プリントヘッド５６、プリントヘッド駆動部２３４、プリント用画像信号処理部２３６を備える。更に、デジタルカメラ及びプリンターに共通の構成として、システムコントローラー２４０、ワークメモリー２４２、データメモリー２４４、モニター２２、モニター駆動部２４６、操作部２４８、及び、電源部２５０を備える。システムコントローラー２４０が全体の制御部として機能する。
【００９６】
《デジタルカメラに係る構成》
〈撮影レンズ駆動部〉
撮影レンズ駆動部２１２は、撮影レンズ１２の駆動手段である。撮影レンズ駆動部２１２は、フォーカスレンズを駆動し、絞り１２ａを駆動し、かつ、シャッター１２ｂを駆動する。撮影レンズ駆動部２１２は、システムコントローラー２４０の制御の下、撮影レンズ１２を駆動する。
【００９７】
〈イメージセンサー駆動部〉
イメージセンサー駆動部２１４は、イメージセンサー４２の駆動手段である。イメージセンサー駆動部２１４は、システムコントローラー２４０の制御の下、イメージセンサー４２を駆動する。
【００９８】
〈アナログ信号処理部〉
アナログ信号処理部２１６は、イメージセンサー４２から出力された信号を取り込み、相関二重サンプリング処理、増幅処理等の所要の信号処理を施し、デジタルの画像信号に変換して出力する。
【００９９】
〈画像データ入力部〉
画像データ入力部２１８は、システムコントローラー２４０の制御の下、アナログ信号処理部２１６から出力されるデジタルの画像信号を取り込む。取り込まれた１枚分の画像データは、ワークメモリー２４２に格納される。
【０１００】
〈デジタル信号処理部〉
デジタル信号処理部２２０は、ワークメモリー２４２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１０１】
また、デジタル信号処理部２２０は、システムコントローラー２４０の制御の下、画像データを加工処理する。
【０１０２】
〈内部メモリー〉
内部メモリー２２２は、画像記憶部の一例であり、撮影により得られた画像を記憶する。内部メモリー２２２は、たとえば、ＥＥＰＲＯＭ （ＥＥＰＲＯＭ：Electrically Erasable Programmable Read Only Memory）等の不揮発性メモリーで構成される。
【０１０３】
《プリンターに係る構成》
〈フィルム送出機構駆動部〉
フィルム送出機構駆動部２３０は、フィルム送出機構５２の駆動手段である。フィルム送出機構駆動部２３０は、システムコントローラー２４０の制御の下、クロー５２ａを駆動する。
【０１０４】
〈フィルム搬送機構駆動部〉
フィルム搬送機構駆動部２３２は、フィルム搬送機構５４の駆動手段である。フィルム搬送機構駆動部２３２は、システムコントローラー２４０からの指令に応じて、搬送ローラー対５４Ａ及び展開ローラー対５４Ｂを回転駆動する。
【０１０５】
〈プリントヘッド駆動部２３４〉
プリントヘッド駆動部２３４は、プリントヘッド５６の駆動手段である。プリントヘッド駆動部２３４は、システムコントローラー２４０の制御の下、プリントヘッド５６を駆動する。
【０１０６】
〈プリント用画像信号処理部〉
プリント用画像信号処理部２３６は、システムコントローラー２４０の制御の下、プリント用の画像データを生成する。プリント用の画像データとは、プリントヘッド５６によってインスタントフィルム１１０に記録するための画像データのことである。プリントヘッド５６は、プリント用画像信号処理部２３６で生成されたプリント用の画像データに基づいて駆動され、インスタントフィルム１１０に画像を記録する。
【０１０７】
《デジタルカメラ及びプリンターに共通の構成》
〈システムコントローラー〉
システムコントローラー２４０は、プリンター付きデジタルカメラ１の全体の制御部である。システムコントローラー２４０は、コンピューターで構成され、所定のプログラムを実行することにより、各種機能を提供する。
【０１０８】
本実施の形態のプリンター付きデジタルカメラ１は、システムコントローラー２４０が、所定のプログラムを実行することにより、画像選択部２４０ａ、フレームレイアウト選択部２４０ｂ、画像調整部２４０ｃ、操作ガイド表示制御部２４０ｄ、プリント指示受付部２４０ｅ、記録制御部２４０ｆ、撮影制御部２４０ｇとして機能する。
【０１０９】
図９は、システムコントローラーが実現する機能のブロック図である。
【０１１０】
＜画像選択部＞
画像選択部２４０ａは、分割プリントする際に、各フレームに配置する画像をユーザーに選択させる処理を行う。
【０１１１】
ここで、分割プリントとは、インスタントフィルム１１０のプリント可能領域を複数のフレームに分割し、各フレームに画像を配置して、１枚のインスタントフィルム１１０にプリントすることをいう。
【０１１２】
画像選択部２４０ａは、フレームレイアウトをモニター２２に表示して、各フレームに配置する画像をユーザーに選択させる。画像の選択は、操作部２４８の操作に基づいて行われる。具体的には、内部メモリー２２２に記録された画像を操作部２４８の操作に基づいて各フレームに順番に表示させて、各フレームに配置する画像をユーザーに選択させる。この際、画像選択部２４０ａは、各フレームに対応する部分の画像を切り出して、各フレームに画像を表示して、各フレームに配置する画像をユーザーに選択させる。たとえば、左右二分割されたフレームレイアウトにおいて、右側のフレームに画像を表示する場合は、画像の右半分を切り出して、フレームに表示する。また、左側のフレームに画像を表示する場合は、画像の左半分を切り出して、フレームに表示する。
【０１１３】
具体的な画像の選択方法、モニター２２への画像の表示方法等については、後に詳述する。
【０１１４】
＜フレームレイアウト選択部＞
フレームレイアウト選択部２４０ｂは、分割プリントする際に、プリントに使用するフレームレイアウトをユーザーに選択させる処理を行う。フレームレイアウト選択部２４０ｂは、選択可能なフレームレイアウトをモニター２２に表示し、プリントに使用するフレームレイアウトをユーザーに選択させる。選択は、操作部２４８を用いて行われる。
【０１１５】
フレームレイアウトの情報は、データメモリー２４４に格納される。フレームレイアウト選択部２４０ｂは、データメモリー２４４に格納された情報に基づいて、選択可能なフレームレイアウトをモニター２２に表示する。画像選択部２４０ａは、フレームレイアウト選択部２４０ｂで選択されたフレームレイアウトをモニター２２に表示する。
【０１１６】
具体的なフレームレイアウトの選択方法、モニター２２への表示方法等については、後に詳述する。
【０１１７】
＜画像調整部＞
画像調整部２４０ｃは、操作部２４８の操作に基づいて、各フレームに配置する画像を調整する処理を行う。具体的には、操作部２４８によるズーム操作によって、各フレームに配置する画像をズームする。また、操作部２４８による移動操作によって、各フレームに配置する画像をフレーム内で移動させる。
【０１１８】
具体的な画像の調整方法、モニター２２への表示方法等については、後に詳述する。
【０１１９】
＜操作ガイド表示制御部＞
操作ガイド表示制御部２４０ｄは、所定の操作ガイドをモニター２２に表示する処理を行う。操作ガイドとは、操作部による操作内容を案内する表示である。データメモリー２４４には、モニター２２に表示する操作ガイドの情報が格納される。
【０１２０】
操作ガイドの具体的な表示内容、モニター２２への表示方法等については、後に詳述する。
【０１２１】
＜プリント指示受付部＞
プリント指示受付部２４０ｅは、分割プリント時に、操作部２４８の操作に基づいて、モニター２２に表示中の画像のプリントの指示を受け付ける処理を行う。具体的には、分割プリント時に、すべてのフレームに対する画像の設定が完了すると、プリントの実行を問い合わせるダイアログをモニター２２に表示し、操作部２４８の操作に基づいて、プリントの実行の指示を受け付ける。より具体的な操作の受付方法、モニター２２への表示方法等については、後に詳述する。
【０１２２】
なお、分割プリントの場合は、すべてのフレームに対する画像の選択が完了した場合にのみプリントの指示が可能になる。したがって、プリント指示受付部２４０ｅは、すべてのフレームに対する画像の選択が完了した場合にのみプリントの指示を受け付ける。
【０１２３】
具体的なプリントの指示方法、モニター２２への表示方法等については、後に詳述する。
【０１２４】
＜記録制御部＞
記録制御部２４０ｆは、内部メモリー２２２に対する画像の記録を制御する。具体的には、撮影が実施された場合、撮影された画像を内部メモリー２２２に記録する。また、分割プリントした場合には、分割プリントした画像（複数の画像を組み合わせて生成した合成画像）を内部メモリー２２２に記録する。
【０１２５】
＜撮影制御部＞
撮影制御部２４０ｇは、操作部の指示に基づいて、撮影を制御する。すなわち、撮影実行の指示に基づいて、イメージセンサー４２で画像を撮影し、得られた画像を内部メモリー２２２に記録する。
【０１２６】
〈ワークメモリー〉
ワークメモリー２４２は、作業用のメモリーである。ワークメモリー２４２は、たとえば、ＳＤＲＡＭ（SDRAM : Synchronous Dynamic Random Access Memory）等で構成される。
【０１２７】
〈データメモリー〉
データメモリー２４４は、制御用のプログラム、制御に必要な各種データ等を記憶するメモリーである。上記のように、フレームレイアウトの情報、ダイアログの情報、操作ガイドの情報等は、データメモリー２４４に記録される。データメモリー２４４は、ＥＥＰＲＯＭ等の不揮発性メモリーで構成される。
【０１２８】
〈モニター駆動部〉
モニター駆動部２４６は、モニター２２の駆動手段である。モニター駆動部２４６は、システムコントローラー２４０の制御の下、モニター２２を駆動する。
【０１２９】
〈操作部〉
操作部２４８は、電源リング１４、第１レリーズボタン１６Ａ、第２レリーズボタン１６Ｂ、背面操作部２４、及び、撮影モード切換レバー２６で構成される。操作部２４８は、各操作部材の操作に応じた信号をシステムコントローラー２４０に出力する。
【０１３０】
〈電源部〉
電源部２５０は、システムコントローラー２４０の制御の下、各部に電源を供給する。電源部２５０は、電源としてのバッテリー、及び、電源回路を備える。
【０１３１】
［作用］
プリンター付きデジタルカメラ１は、動作モードとして、撮影モード、再生モード、及び、プリントモードを有する。
【０１３２】
撮影モードは、画像を撮影するモードである。上記のように、本実施の形態のプリンター付きデジタルカメラ１は、撮影モードとして、「オートモード」及び「マニュアルモード」を有する。「オートモード」は、撮影すると、撮影した画像を自動的にプリントするモードである。「マニュアルモード」は、撮影しても自動的にはプリントせず、ユーザーからプリントが指示された場合にのみプリントするモードである。
【０１３３】
再生モードは、内部メモリー２２２に記録されている画像を再生するモードである。再生した画像は、モニター２２に表示される。再生モードでは、プリントボタン２４ｃ４を押圧すことにより、再生中の画像をプリントできる。
【０１３４】
プリントモードは、内部メモリー２２２に記録されている画像をプリントするモードである。本実施の形態のプリンター付きデジタルカメラ１は、プリントモードとして、「１コマプリント」、「全コマプリント」、「分割プリント」を有する。「１コマプリント」とは、内部メモリー２２２に記録されている画像を１つ選択してプリントするモードである。「全コマプリント」とは、内部メモリー２２２に記録されているすべての画像をプリントするモードである。「分割プリント」とは、上記のように、インスタントフィルム１１０のプリント可能領域を複数のフレームに分割し、各フレームに画像を配置して、１枚のインスタントフィルム１１０にプリントするモードである。
【０１３５】
以下、モード別にプリンター付きデジタルカメラ１の動作について説明する。
【０１３６】
《撮影モード》
プリンター付きデジタルカメラ１は、電源を投入すると、撮影モードの状態で起動する。
【０１３７】
上記のように、本実施の形態のプリンター付きデジタルカメラ１は、撮影モードとして、オートモード及びマニュアルモードを備えている。オートモードとマニュアルモードとの切り換えは、撮影モード切換レバー２６で行われる。撮影モード切換レバー２６をオート位置に設定すると、オートモードに設定され、マニュアル位置に設定すると、マニュアルモードに設定される。
【０１３８】
〈オートモード〉
上記のように、オートモードは、撮影した画像を自動的にプリントするモードである。
【０１３９】
図１０は、オートモードでの処理手順を示すフローチャートである。
【０１４０】
まず、システムコントローラー２４０は、モニター２２に対してライブビューを行う（ステップＳ１０）。ライブビューとは、イメージセンサー４２で捉えた画像をモニター２２にリアルタイムに表示することである。ライブビューは、スルー表示とも称される。
【０１４１】
図１１は、ライブビュー中のモニターの画面表示の一例を示す図である。
【０１４２】
同図に示すように、モニター２２の画面中央にライブビュー画像ＬＶＩが表示され、その両サイドにサイドバーＳＢＬ、ＳＢＲが表示される。
【０１４３】
画面左側のサイドバーＳＢＬには、設定中の撮影モードの情報が表示される。設定中の撮影モードの情報は、アルファベット１文字で表示され、オートモードの場合は「Ａ」、マニュアルモードの場合は「Ｍ」と表示される。図１１は、オートモードに設定されている場合の画面表示であるため、画面左側のサイドバーＳＢＬには、オートモードを表わす「Ａ」の文字が表示される。
【０１４４】
画面右側のサイドバーＳＢＲには、フィルム残量が表示される。フィルム残量は、ドットで表示される。具体的には、フィルム残量に応じた数のドットが、同一直線上に一定の間隔で表示される。図１１は、フィルム残量が１０枚の場合の例を示している。ドットは、フィルム残量が一定以下になると表示色が変わる。具体的には、フィルム残量が３枚以上の場合は、白色で表示され、２枚以下になると、赤色で表示される。また、フィルム残量が０になると、１０個のグレーのドットが点滅して表示される。インスタントフィルムパック１００が未装填の場合も同様であり、１０個のグレーのドットが点滅して表示される。
【０１４５】
ユーザーは、モニター２２にライブビュー表示される画像を見て構図を決定し、被写体に対する合焦状態を確認する。
【０１４６】
システムコントローラー２４０は、操作部２４８からの信号に基づいて、本撮影の指示の有無を判定する（ステップＳ１１）。そして、本撮影の指示に応じて、本撮影の処理を実施する（ステップＳ１２）。
【０１４７】
本撮影の指示は、第１レリーズボタン１６Ａ又は第２レリーズボタン１６Ｂの全押しで行われる。なお、その前段階として、第１レリーズボタン１６Ａ又は第２レリーズボタン１６Ｂの半押しで撮影準備が行われる。すなわち、測光及び測距が行われ、露出の設定及び焦点合わせが行われる。
【０１４８】
第１レリーズボタン１６Ａ又は第２レリーズボタン１６Ｂの半押し後、全押しすることで、本撮影が指示され、本撮影の処理が実施される（ステップＳ１２）。すなわち、設定された露出でイメージセンサー４２を露光し、記録用の画像を取り込む。取り込んだ画像は、撮影画像として、内部メモリー２２２に記録される（ステップＳ１３）。
【０１４９】
システムコントローラー２４０は、撮影画像をモニター２２にプレビューし（ステップＳ１４）、プリント処理を実行する（ステップＳ１５）。
【０１５０】
図１２は、プレビュー中のモニターの画面表示の一例を示す図である。
【０１５１】
同図に示すように、システムコントローラー２４０は、プリントする画像をモニター２２にプレビューする際、画像Ｉｍを枠Ｆｌに収めて表示する。枠Ｆｌで一定の幅を有する白色の枠で構成される。
【０１５２】
上記のように、インスタントフィルム１１０にプリントされる画像は、枠１１８ａ内に表示される（図６、図１３参照）。インスタントフィルム１１０にプリントされる画像と同様に、画像Ｉｍを枠Ｆｌに収めて表示することにより、当該画像Ｉｍがプリントされることを明確にできる。
【０１５３】
プリント処理は、次の手順で行われる。まず、プリント用画像信号処理部２３６でプリント用の画像データが生成される。次に、フィルム送出機構５２によってインスタントフィルムパック１００からインスタントフィルム１１０が一枚送り出される。インスタントフィルムパック１００から送り出されたインスタントフィルム１１０は、フィルム搬送機構５４によって一定の速度で搬送される。その搬送過程で露光部１１２が、プリントヘッド５６によって露光され、露光面１１０ａに画像が記録される。露光されたインスタントフィルム１１０は、その後、展開ローラー対５４Ｂの間を搬送されることで現像処理され、プリント排出口２８から排出される。
【０１５４】
なお、インスタントフィルム１１０は、トラップ部１１６が上、ポッド部１１４が下となる向きで観賞に供される。したがって、画像は、トラップ部１１６が上、ポッド部１１４が下となる向きでプリントされる。インスタントフィルム１１０は、ポッド部１１４を先頭にしてプリント排出口２８から排出されるので、上下が逆転した状態で排出される。したがって、インスタントフィルム上の画像も上下が逆転している。
【０１５５】
図１３は、インスタントフィルムの排出状態を示す図である。なお、同図は、現像が完全に終了した後の状態を示している。同図において、矢印ｆで示す方向が、インスタントフィルム１１０の排出方向である。
【０１５６】
インスタントフィルム１１０は、カメラボディー１０の天面から排出され、かつ、モニター２２の表示面とほぼ平行に排出される。
【０１５７】
インスタントフィルム１１０の排出方向ｆは、モニター２２の短辺と平行な方向であり、カメラボディー１０の天面から真上に向かう方向である。したがって、モニター２２から見てインスタントフィルム１１０は上方向に排出される。
【０１５８】
また、インスタントフィルム１１０は、観察面１１０ｂをカメラボディー１０の背面側に向けて排出される。すなわち、カメラボディー１０の背面側に画像が表示されるように排出される。
【０１５９】
また、インスタントフィルム１１０は、ポッド部１１４を先頭にして排出される。すなわち、ポッド部１１４を上にして排出される。ここで、上記のように、画像はポッド部１１４を下にしてプリントされる。したがって、インスタントフィルム１１０は、実際に観賞する向きとは、逆向きでカメラボディー１０から排出される。すなわち、画像が下に向いた状態で排出される。
【０１６０】
システムコントローラー２４０は、プリント処理に連動して、プリントアニメーションの処理を実行する（ステップＳ１６）。
【０１６１】
プリントアニメーションの処理は、プリントする画像としてモニター２２にプレビューした画像を所定のアニメーション表示により、モニター２２の画面から消去する処理である。具体的には、プリントする画像としてモニター２２にプレビューした画像をインスタントフィルム１１０の排出方向ｆに沿って移動させて、画面から消去する。
【０１６２】
図１４は、プリントアニメーション処理時のモニターの画面表示の遷移を示す図である。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０１６３】
図１４（Ａ）〜（Ｄ）に示すように、インスタントフィルム１１０の排出方向ｆである上方向に画像Ｉｍが移動して、モニター２２の画面から消去される。
【０１６４】
画像Ｉｍの移動は、インスタントフィルム１１０の排出に連動しており、インスタントフィルム１１０の排出の完了と同時に画像Ｉｍの消去も完了する。
【０１６５】
このように、プリントする画像Ｉｍをインスタントフィルム１１０の排出方向に沿って移動させて消去することにより、一見して画像Ｉｍがプリントされることを把握でき、かつ、プリントの排出方向も把握できる。これにより、操作性を向上できる。
【０１６６】
画面から画像が完全に消去されると、プリント確認用画像がモニター２２に表示される。図１３は、プリント確認用画像を表示した状態を示している。同図に示すように、プリント確認用画像Ｉｍ１は、消去した画像と同じ画像であって、明度の異なる画像で構成される。具体的には、消去した画像に対して、一定量明度を下げた画像で構成される。このように、画像消去後にプリント確認用画像をモニター２２に表示することにより、プリントした画像を再度確認でき、操作性をより向上できる。また、明度の異なる画像を表示することにより、プリント済みであることも容易に把握できる。
【０１６７】
プリント確認用画像の表示は一定時間継続して行われる。この後、システムコントローラー２４０は、オートモードが終了したか否かを判断する（ステップＳ１７）。すなわち、操作部２４８からの信号に基づいて、電源がオフされたか否か、モードが切り換えられたか否かを判断する。オートモードが終了したと判断すると、オートモードでの処理を終了する。一方、オートモードが終了していないと判断すると、ステップＳ１０に戻る。この場合、モニター２２の表示が、ライブビューに切り換えられる。
【０１６８】
以上のように、オートモードで撮影すると、撮影した画像が自動的にプリントされる。
【０１６９】
〈マニュアルモード〉
上記のように、マニュアルモードは、撮影しても自動的にはプリントせず、ユーザーからプリントが指示された場合にのみプリントするモードである。
【０１７０】
図１５は、マニュアルモードでの処理手順を示すフローチャートである。
【０１７１】
まず、システムコントローラー２４０は、モニター２２に対してライブビューを行う（ステップＳ２０）。すなわち、イメージセンサー４２で捉えた画像をモニター２２にリアルタイムに表示する。なお、マニュアルモードであるので、画面左側のサイドバーＳＢＬには、マニュアルモードを表わす「Ｍ」の文字が表示される。
【０１７２】
システムコントローラー２４０は、操作部２４８からの信号に基づいて、本撮影の指示の有無を判定する（ステップＳ２１）。そして、本撮影の指示に応じて、本撮影の処理を実施し（ステップＳ２２）、撮影した画像を内部メモリー２２２に記録する（ステップＳ２３）。
【０１７３】
この後、システムコントローラー２４０は、撮影した画像をモニター２２にプレビューする（ステップＳ２４）。そして、プリントの指示の有無を判定する（ステップＳ２５）。
【０１７４】
プリントの指示は、プリントボタン２４ｃ４を押圧することにより行われる。プリントボタン２４ｃ４が押圧されると、システムコントローラー２４０は、プリントの実行を問い合わせるダイアログをモニター２２に表示させる。
【０１７５】
図１６は、ダイアログが表示されたモニターの画面表示の一例を示す図である。
【０１７６】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。ダイアログＤＬが表示されることにより、ユーザーは、ＯＫボタン２４ａを押すと、プリントの指示が確定し、バックボタン２４ｃ５を押すと、プリントの指示がキャンセルされることを把握できる。また、本実施の形態のプリンター付きデジタルカメラ１は、背面操作部２４が円形状であることから、ダイアログＤＬを円の一部である半円形状の図形で構成することにより、ダイアログＤＬの表示と背面操作部２４との関係性を明確にできる。また、背面操作部２４に最も近接する縁である下縁から真上に向けて張り出すようにダイアログＤＬを表示することにより、ダイアログＤＬの表示と背面操作部２４との関係性をより明確にできる。
【０１７７】
ユーザーは、プレビューされている画像をプリントする場合は、プリントボタン２４ｃ４を押圧し、その後、ダイアログＤＬの表示に従ってＯＫボタン２４ａを押圧する。これにより、プリントの指示が確定する。
【０１７８】
プリントを指示した後、思い直してプリントの指示をキャンセルする場合は、バックボタン２４ｃ５を押圧する。これにより、プリントの指示がキャンセルされる。プリントの指示がキャンセルされると、モニター２２の表示は指示前の状態に復帰する。すなわち、ダイアログＤＬが消去され、撮影画像のみがモニター２２に表示される。
【０１７９】
プリントの指示が確定すると、システムコントローラー２４０は、プリント処理を実行する（ステップＳ２６）。そして、そのプリント処理に連動して、プリントアニメーションの処理を実行する（ステップＳ２７）。すなわち、プレビュー中の画像をインスタントフィルム１１０の排出方向ｆに沿って移動させて、画面から消去する。この際、システムコントローラー２４０は、まず、表示中の画像を枠に収めてモニター２２に表示し（図１４（Ａ）参照）、その後、枠に収めた画像をインスタントフィルム１１０の排出方向ｆに沿って移動させて、画面から消去する（図１４（Ｂ）〜（Ｄ）参照）。これにより、モニター２２の表示から一見して画像Ｉｍがプリントされることを把握でき、かつ、プリントの排出方向も把握できる。消去後は、プリント確認用画像をモニター２２に表示する（図１３参照）。これにより、プリントした画像を再度確認できる。
【０１８０】
プリント確認用画像の表示は一定時間継続して行われる。この後、システムコントローラー２４０は、マニュアルモードが終了したか否かを判断する（ステップＳ２８）。すなわち、操作部２４８からの信号に基づいて、電源がオフされたか否か、モードが切り換えられたか否かを判断する。マニュアルモードが終了したと判断すると、マニュアルモードでの処理を終了する。一方、マニュアルモードが終了していないと判断すると、ステップＳ２０に戻る。この場合、モニター２２の表示が、ライブビューに切り換えられる。
【０１８１】
なお、ステップＳ２５において、プレビュー中の画像に対するプリントの指示がないと判断すると、システムコントローラー２４０は、プレビュー開始から一定時間が経過したか否かを判定する（ステップＳ２９）。そして、一定時間が経過したと判定すると、マニュアルモードが終了したか否かを判断する（ステップＳ２８）。すなわち、一定時間内にプリントの指示がない場合は、プレビューを終了し、その後の処理に移行する。この場合、撮影された画像のプリントは行われない。
【０１８２】
なお、プレビューは、第１レリーズボタン１６Ａ又は第２レリーズボタン１６Ｂの操作によって強制的に終了させる構成としてもよい。この場合、プレビュー中に第１レリーズボタン１６Ａ又は第２レリーズボタン１６Ｂが半押し又は全押しされると、強制的にプレビューが終了される。
【０１８３】
以上のように、マニュアルモードの場合は、撮影すると、撮影した画像がモニター２２に表示され、プリントの指示を待ってプリント処理が実施される。したがって、マニュアルモードの場合は、プリントを希望する画像のみをプリントできる。
【０１８４】
《再生モード》
プリンター付きデジタルカメラ１は、再生モードに設定することで、内部メモリー２２２に記録されている画像を再生できる。また、再生中にプリントボタン２４ｃ４を押圧することにより、再生中の画像をプリントできる。
【０１８５】
撮影モードから再生モードへの切り換えは、再生ボタン２４ｃ６で行われる。プリンター付きデジタルカメラ１が撮影モードに設定されている状態で再生ボタン２４ｃ６を押圧すると、動作モードが再生モードに切り換えられる。
【０１８６】
図１７は、再生モードの処理手順を示すフローチャートである。
【０１８７】
再生モードに設定されると、システムコントローラー２４０は、内部メモリー２２２に記録されている画像を１枚読み出し、モニター２２に表示する（ステップＳ３０）。読み出す画像は、内部メモリー２２２に最後に記録された画像、すなわち、最後に撮影された画像である。
【０１８８】
図１８は、再生モードに設定された場合のモニターの画面表示の一例を示す図である。
【０１８９】
同図に示すように、モニター２２の画面中央に読み出した画像Ｉｍが表示され、その両サイドにサイドバーＳＢＬ、ＳＢＲが表示される。画面左側のサイドバーＳＢＬには、順方向コマ送りした場合に次に再生される画像の一部（右端部分）が明度を下げて表示される。また、画面右側のサイドバーＳＢＲには、逆方向にコマ送りした場合に次に再生される画像の一部（左端部分）が明度を下げて表示される。
【０１９０】
画像は、コマ送りすることにより、１枚ずつ順番に再生される。再生は、コマ番号順に行われる。コマ番号とは、内部メモリー２２２に記録する画像に付与される番号であり、撮影順に付与される。画像を順方向にコマ送りすると、コマ番号が昇順に再生され、逆方向にコマ送りすると、コマ番号が降順に再生される。
【０１９１】
画像を再生すると、システムコントローラー２４０は、操作部２４８からの信号に基づいて、プリント指示の有無を判定する（ステップＳ３１）。
【０１９２】
プリントの指示は、プリントボタン２４ｃ４を押圧することにより行われる。プリントボタン２４ｃ４が押圧されると、システムコントローラー２４０は、プリントの実行を問い合わせるダイアログをモニター２２に表示させる。
【０１９３】
図１９は、ダイアログが表示されたモニターの画面表示の一例を示す図である。
【０１９４】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。
【０１９５】
ダイアログＤＬが表示されることにより、ユーザーは、ＯＫボタン２４ａを押すと、プリントの指示が確定し、バックボタン２４ｃ５を押すと、プリントの指示がキャンセルされることを把握できる。
【０１９６】
ユーザーは、プリントの指示を確定する場合は、ＯＫボタン２４ａを押圧する。これにより、プリントの指示が確定する。
【０１９７】
プリントの指示が確定すると、システムコントローラー２４０は、プリント処理を実行する（ステップＳ３２）。そして、そのプリント処理に連動して、プリントアニメーションの処理を実行する（ステップＳ３３）。すなわち、表示中の画像Ｉｍをインスタントフィルム１１０の排出方向ｆに沿って移動させて、画面から消去する。
【０１９８】
この場合、システムコントローラー２４０は、まず、表示中の画像を枠に収めてモニター２２に表示し（図１４（Ａ）参照）、その後、枠に収めた画像をインスタントフィルム１１０の排出方向ｆに沿って移動させて、画面から消去する（図１４（Ｂ）〜（Ｄ）参照）。これにより、モニター２２の表示から一見して画像Ｉｍがプリントされることを把握でき、かつ、プリントの排出方向も把握できる。
【０１９９】
消去後は、明度を下げたプリント確認用画像をモニター２２に表示する（図１３参照）。これにより、プリントした画像を再度確認できる。プリント確認用画像の表示は一定時間継続して行われ、一定時間が経過すると、プリントした画像がモニター２２に表示される。すなわち、元の明度で表示される。
【０２００】
この後、システムコントローラー２４０は、操作部２４８からの信号に基づいて、コマ送りの指示の有無を判定する（ステップＳ３４）。
【０２０１】
コマ送りの操作は、コマンドダイヤル２４ｂで行われる。コマンドダイヤル２４ｂを右方向に押圧すると、順方向へのコマ送りが指示される。また、コマンドダイヤル２４ｂを左方向に押圧すると、逆方向へのコマ送りが指示される。画像は１枚ずつコマ送りされる。すなわち、コマンドダイヤル２４ｂを右方向に１回押圧するたびに、画像が１枚ずつ順方向にコマ送りされる。また、コマンドダイヤル２４ｂを左方向に１回押圧するたびに、画像が１枚ずつ逆方向にコマ送りされる。
【０２０２】
システムコントローラー２４０は、コマ送りの指示あり、と判定すると、指示された方向にコマ送りする（ステップＳ３５）。すなわち、順方向にコマ送りが指示された場合は、順方向にコマ送りし、逆方向にコマ送りが指示された場合は、逆方向にコマ送りする。
【０２０３】
その後、システムコントローラー２４０は、再生モードが終了したか否かを判断する（ステップＳ３６）。すなわち、操作部２４８からの信号に基づいて、電源がオフされたか否か、モードが切り換えられたか否かを判断する。再生モードが終了したと判断すると、再生モードでの処理を終了する。
【０２０４】
以上のように、再生モードに設定することにより、内部メモリー２２２に記録されている画像をモニター２２で再生できる。また、モニター２２に表示中の画像をプリントできる。
【０２０５】
《プリントモード》
上記のように、本実施の形態のプリンター付きデジタルカメラ１は、プリントモードとして、１コマプリント、全コマプリント、及び、分割プリントを備えている。各モードへの切り換えは、メニュー画面で行われる。再生モードに設定されている状態でＯＫボタン２４ａが押圧されると、再生用のメニュー画面がモニター２２に表示される。この再生用のメニュー画面に表示される選択項目の中に「プリント」及び「分割プリント」の項目が用意される。ここで、操作部２４８を操作して、「プリント」の項目を選択すると、更に選択可能な項目として「１コマプリント」及び「全コマプリント」の項目が表示される。操作部２４８を操作して、「１コマプリント」の項目を選択すると、１コマプリントのプリントモードに設定され、「全コマプリント」の項目を選択すると、全コマプリントのプリントモードに設定される。また、再生用のメニュー画面で「分割プリント」の項目を選択すると、分割プリントのプリントモードに設定される。
【０２０６】
〈１コマプリント〉
１コマプリントのプリントモードは、内部メモリー２２２に記録されている画像を１つ選択してプリントするモードである。
【０２０７】
図２０は、１コマプリントの処理手順を示すフローチャートである。
【０２０８】
１コマプリントのプリントモードに設定されると、システムコントローラー２４０は、プリント対象の画像をモニター２２に再生表示する（ステップＳ４０）。この画像は、１コマプリントのプリントモードに切り換える直前までモニター２２に再生表示されていた画像である。すなわち、再生モードで再生中の画像がプリント対象の画像としてモニター２２に再生表示される。システムコントローラー２４０は、このプリント対象の画像と共にプリントの実行を問い合わせるダイアログをモニター２２に表示する（図１９参照）。
【０２０９】
ユーザーは、モニター２２の表示を確認して、プリントの要否を判断する。そして、プリントする場合は、ＯＫボタン２４ａを押圧する。これにより、プリントの実行が指示される。システムコントローラー２４０は、操作部２４８からの信号に基づいて、プリント実行の指示の有無を判定する（ステップＳ４１）。
【０２１０】
プリント実行の指示あり、と判定すると、システムコントローラー２４０は、プリント処理を実行する（ステップＳ４２）。そして、そのプリント処理に連動して、プリントアニメーションの処理を実行する（ステップＳ４３）。すなわち、表示中の画像Ｉｍをインスタントフィルム１１０の排出方向ｆに沿って移動させて、画面から消去する。
【０２１１】
この場合、システムコントローラー２４０は、まず、表示中の画像を枠に収めてモニター２２に表示し（図１４（Ａ）参照）、その後、枠に収めた画像をインスタントフィルム１１０の排出方向ｆに沿って移動させて、画面から消去する（図１４（Ｂ）〜（Ｄ）参照）。これにより、モニター２２の表示から一見して画像Ｉｍがプリントされることを把握でき、かつ、プリントの排出方向も把握できる。
【０２１２】
消去後は、明度を下げたプリント確認用画像をモニター２２に表示する（図１３参照）。これにより、プリントした画像を再度確認できる。プリント確認用画像の表示は一定時間継続して行われ、一定時間が経過すると、プリントした画像がモニター２２に表示される。すなわち、元の明度で表示される。プリントした画像がモニター２２に表示されると、１コマプリントのモードは終了し、再生モードに切り換わる。
【０２１３】
ステップＳ４１でプリント実行の指示なし、と判定すると、システムコントローラー２４０は、操作部２４８からの信号に基づいて、コマ送りの指示の有無を判定する（ステップＳ４４）。
【０２１４】
コマ送りの操作は、コマンドダイヤル２４ｂで行われる。コマンドダイヤル２４ｂを右方向に押圧すると、順方向へのコマ送りが指示される。また、コマンドダイヤル２４ｂを左方向に押圧すると、逆方向へのコマ送りが指示される。画像は１枚ずつコマ送りされる。すなわち、コマンドダイヤル２４ｂを右方向に１回押圧するたびに、画像が１枚ずつ順方向にコマ送りされる。また、コマンドダイヤル２４ｂを左方向に１回押圧するたびに、画像が１枚ずつ逆方向にコマ送りされる。
【０２１５】
システムコントローラー２４０は、コマ送りの指示あり、と判定すると、指示された方向にコマ送りする（ステップＳ４５）。すなわち、順方向にコマ送りが指示された場合は、順方向にコマ送りし、逆方向にコマ送りが指示された場合は、逆方向にコマ送りする。
【０２１６】
一方、コマ送りの指示なし、と判定すると、システムコントローラー２４０は、１コマプリントの終了が指示されたか否かを判断する（ステップＳ４６）。すなわち、操作部２４８からの信号に基づいて、バックボタン２４ｃ５が押圧されたか否かを判定する。
【０２１７】
１コマプリントの終了が指示されていない、と判定すると、システムコントローラー２４０は、ステップＳ４１に戻り、表示中の画像に対して、プリント実行の指示の有無を判定する。
【０２１８】
一方、１コマプリントの終了が指示された、と判定すると、システムコントローラー２４０は、１コマプリントのモードを終了し、プリンター付きデジタルカメラ１の動作モードを再生モードに切り換える。
【０２１９】
以上のように、１コマプリントのプリントモードに設定することにより、内部メモリー２２２に記録されている画像を１コマ選択してプリントできる。
【０２２０】
〈全コマプリント〉
全コマプリントは、内部メモリー２２２に記録されているすべての画像をプリントするモードである。
【０２２１】
全コマプリントのモードに設定し、プリントの実行を指示すると、内部メモリー２２２に記録されている画像が順次プリントされて出力される。この際、インスタントフィルム１１０の排出に連動して、プリントアニメーションの処理が行われる。すなわち、順次プリント中の画像がモニター２２に表示され、排出に連動してモニター２２から消去される。
【０２２２】
すべての画像のプリントが終了すると、プリンター付きデジタルカメラ１の動作モードが再生モードに切り換えられる。
【０２２３】
〈分割プリント〉
分割プリントは、インスタントフィルム１１０のプリント可能領域を複数のフレームに分割し、各フレームに画像を配置して、１枚のインスタントフィルム１１０にプリントするモードである。以下、分割プリントのプリントモードに設定された場合の画像のプリント方法について説明する。
【０２２４】
図２１は、分割プリントの処理手順を示すフローチャートである。
【０２２５】
分割プリントのモードに設定されると、システムコントローラー２４０は、まず、フレームレイアウトの選択処理を実施する（ステップＳ５０）。フレームレイアウトの選択処理とは、プリントに使用するフレームレイアウトを選択する処理のことである。フレームレイアウトとは、インスタントフィルム１１０のプリント可能領域を分割して設定したフレームの割り付けである。プリントに使用するフレームレイアウトは、あらかじめ用意されたものの中から選択する。
【０２２６】
図２２は、フレームレイアウトの一例を示す図である。
【０２２７】
同図に示すように、本実施の形態のプリンター付きデジタルカメラ１では、ユーザーが選択可能なフレームレイアウトとして、３つのフレームレイアウトが用意される。３つのフレームレイアウトは、すべて正方形の領域を分割して設定される。この正方形の領域は、インスタントフィルム１１０のプリント可能領域に対応する。
【０２２８】
図２２（Ａ）に示すフレームレイアウトは、正方形の領域を左右に二等分割したものである。以下、この左右に二等分割されたフレームレイアウトを左右２分割フレームと称する。
【０２２９】
図２２（Ｂ）に示すフレームレイアウトは、正方形の領域を上下に二等分割したものである。以下、この上下に二等分割されたフレームレイアウトを上下２分割フレームと称する。
【０２３０】
図２２（Ｃ）に示すフレームレイアウトは、正方形の領域をグリッド状に４等分割したものである。以下、この４等分割されたフレームレイアウトを４分割フレームと称する。
【０２３１】
なお、各図において、分割された各フレーム内に表示された数字は、フレーム番号である。図２２（Ａ）に示す左右２分割フレームの場合、図中左側のフレームが第１フレーム、右側のフレームが第２フレームとなる。また、図２２（Ｂ）に示す上下２分割フレームの場合、図中上側のフレームが第１フレーム、下側のフレームが第２フレームとなる。また、図２２（Ｃ）に示す４分割フレームの場合、図中左上のフレームが第１フレーム、右上のフレームが第２フレーム、左下のフレームが第３フレーム、右下のフレームが第４フレームとなる。各フレームに配置する画像を選択する際、画像の選択はフレーム番号順に行われる。
【０２３２】
システムコントローラー２４０は、選択可能なフレームレイアウトをモニター２２に表示し、プリントに使用するフレームレイアウトをユーザーに選択させる。
【０２３３】
図２３は、フレームレイアウトの選択画面の表示の一例を示す図である。
【０２３４】
同図に示すように、選択可能なフレームレイアウトと同じ分割形態の枠の図がモニター２２に一覧表示される。ユーザーは、その枠の図の１つを選択して、プリントに使用するフレームレイアウトを選択する。
【０２３５】
なお、図２３において、（Ａ）は左右２分割フレームを選択した場合、（Ｂ）は上下２分割フレームを選択した場合、（Ｃ）は４分割フレームを選択した場合を示している。図２３（Ａ）〜（Ｃ）に示すように、選択されたフレームレイアウトの枠の図が、他のフレームレイアウトの枠の図よりも線が太く表示される。また、選択されたフレームレイアウトの枠の図には、フレーム番号が表示される。
【０２３６】
フレームレイアウトは、デフォルトで左右２分割フレームが選択される。したがって、初期状態では、図２３（Ａ）の表示状態となる。
【０２３７】
選択するフレームレイアウトの切り換えは、コマンドダイヤル２４ｂで行われる。コマンドダイヤル２４ｂを時計回りに回転させると、左右２分割フレーム、上下２分割フレーム、４分割フレームの順で選択するフレームレイアウトが切り換わる。また、コマンドダイヤル２４ｂを反時計回りに回転させると、逆の順で選択するフレームレイアウトが切り換わる。コマンドダイヤル２４ｂを左右に押圧操作した場合も選択するフレームレイアウトの切り換えが行われる。コマンドダイヤル２４ｂを右方向に押圧すると、押圧するたびに、左右２分割フレーム、上下２分割フレーム、４分割フレームの順で選択するフレームレイアウトが切り換わる。また、左方向に押圧すると、押圧するたびに逆の順で選択するフレームレイアウトが切り換わる。
【０２３８】
コマンドダイヤル２４ｂの操作で選択したフレームレイアウトは、ＯＫボタン２４ａを押圧することで、選択が確定する。
【０２３９】
フレームレイアウトの選択が完了すると、システムコントローラー２４０は、選択されたフレームレイアウトをモニター２２に表示する（ステップＳ５１）。
【０２４０】
図２４は、フレームレイアウトの選択後のモニターの表示の一例を示す図である。同図（Ａ）は左右２分割フレームが選択された場合のモニターの表示、同図（Ｂ）は上下２分割フレームが選択された場合のモニターの表示、同図（Ｃ）は４分割フレームが選択された場合のモニターの表示の例を示している。
【０２４１】
図２４（Ａ）〜（Ｃ）に示すように、フレームレイアウトＦＬは、線画で表示される。具体的には、外形を規定する外枠線と、外枠線の内側の領域を複数にフレームに分割する分割線とで表示される。
【０２４２】
なお、同図に示すように、フレームレイアウトＦＬを表示した時点で第１フレームに画像が表示される。この点については、後述する。
【０２４３】
モニター２２には、フレームレイアウトＦＬと共に操作ガイドＧが表示される。操作ガイドＧは、操作部２４８の操作内容を案内する表示である。図２４に示す例では、バックボタン２４ｃ５を押圧すると、１つ前の状態に戻せること、コマンドダイヤル２４ｂの左右の押圧操作でコマ送りできること、ＯＫボタン２４ａを押圧すると、選択が確定すること、が表示されている。
【０２４４】
操作ガイドＧは、帯状の表示領域を有し、その表示領域内に操作部２４８の操作内容を案内する情報が表示される。操作ガイドＧは、画面の下縁に沿って表示され、その上にフレームレイアウトＦＬが表示される。
【０２４５】
モニター２２にフレームレイアウトＦＬを表示すると、次に、システムコントローラー２４０は、各フレームに配置する画像の設定処理を行う（ステップＳ５２）。この処理は、各フレームに配置する画像を内部メモリー２２２に記憶された画像の中から選択し、各フレームに配置する画像を設定する処理である。
【０２４６】
図２５は、各フレームに配置する画像の設定処理の手順を示すフローチャートである。
【０２４７】
ここでは、プリントに使用するフレームレイアウトとして、左右２分割フレームが選択された場合を例に説明する。また、内部メモリー２２２に４つの画像が記憶されている場合を例に説明する。図２６は、内部メモリーに記憶された４つの画像の一例を示す図である。同図において、各画像の下に付された番号はコマ番号である。
【０２４８】
まず、システムコントローラー２４０は、ｎ＝１として（ステップＳ５２ａ）、第ｎフレームに画像を表示する（ステップＳ５２ｂ）。すなわち、第１フレームに画像を表示する。この処理は、フレームレイアウトＦＬの表示と同時に行われる。したがって、フレームレイアウトＦＬが表示されると、同時に第１フレームに画像が表示される（図２４（Ａ）参照）。
【０２４９】
この第１フレームに表示される画像は、分割プリントモードに切り換える直前にモニター２２に再生表示されていた画像である。
【０２５０】
ここで、分割プリントモードに切り換える直前にモニター２２に再生表示されていた画像がコマ番号０００１の画像であったとする。この場合、コマ番号０００１の画像が第１フレームに表示される。この際、図２４（Ａ）に示すように、第１フレームには、コマ番号０００１の画像の左半分の画像が表示される。すなわち、システムコントローラー２４０は、第１フレームに画像を表示する際、元の画像から第１フレームに対応する部分の画像を切り出して、第１フレームに表示する。
【０２５１】
第１フレームに画像を切り出して表示後、システムコントローラー２４０は、操作部２４８からの信号に基づいて、コマ送りの指示の有無を判定する（ステップＳ５２ｃ）。
【０２５２】
ここで、コマ送りの操作は、コマンドダイヤル２４ｂによって行われる。コマンドダイヤル２４ｂを右方向に押圧操作すると、画像が順方向にコマ送りされ、左方向に押圧操作すると、画像が逆方向にコマ送りされる。
【０２５３】
コマ送りの指示あり、と判定すると、システムコントローラー２４０は、指示に応じて画像をコマ送りする（ステップＳ５２ｄ）。すなわち、順方向へのコマ送りが指示された場合は、次のコマ番号の画像を第１フレームに表示し、逆方向へのコマ送りが指示された場合は、前のコマ番号の画像を第１フレームに表示する。この際、システムコントローラー２４０は、元の画像から第１フレームに対応する部分の画像を切り出して、第１フレームに表示する。
【０２５４】
図２７は、順方向にコマ送りした場合のモニターの表示の遷移を示す図である。
【０２５５】
同図に示すように、順方向にコマ送りすることにより、内部メモリー２２２に記憶された画像がコマ番号順に順番に第１フレームに表示される。画像は、１コマ送るたびに（Ａ）、（Ｂ）、（Ｃ）、（Ｄ）の順で切り換わる。
【０２５６】
この後、システムコントローラー２４０は、画像の選択が完了したか否かを判定する（ステップＳ５２ｅ）。ここで、画像の選択はＯＫボタン２４ａを押圧することにより完了する。したがって、ユーザーは、コマンドダイヤル２４ｂの操作で画像をコマ送りし、所望の画像をフレームに表示させた状態でＯＫボタン２４ａを押圧して、選択作業を完了させる。システムコントローラー２４０は、操作部２４８からの信号に基づいて、ＯＫボタン２４ａが押圧されたか否かを判定し、画像の選択が完了したか否かを判定する。
【０２５７】
画像の選択が完了すると、次に、システムコントローラー２４０は、操作部２４８からの信号に基づいて、画像調整の指示の有無を判定する（ステップＳ５２ｆ）。画像調整とは、選択した画像をフレーム内でズーム又は移動させて、調整する作業のことである。画像のズームは、コマンドダイヤル２４ｂの回転操作で行われ、移動は、コマンドダイヤル２４ｂの押圧操作で行われる。具体的には、コマンドダイヤル２４ｂを時計回りに回転操作すると、画像が拡大する方向にズームされ、反時計回りに回転操作すると、画像が縮小する方向にズームされる。また、コマンドダイヤル２４ｂを上方向に押圧操作すると上方向に、下方向に押圧操作すると下方向に、右方向に押圧操作すると右方向に、左方向に押圧操作すると左方向に画像が移動する。
【０２５８】
システムコントローラー２４０は、画像調整の指示あり、と判定すると、指示に応じて画像調整する（ステップＳ５２ｇ）。すなわち、画像のズームが指示された場合は、指示に従って画像を拡大又は縮小させてズームし、移動が指示された場合は、指示された方向に画像を移動させる。
【０２５９】
図２８は、画像をズームした場合の画面の表示の変化を示す図である。同図（Ａ）は、オリジナルの画像を表示した状態を示しており、同図（Ｂ）は、画像を拡大させる方向にズームした場合の画面の表示を示している。
【０２６０】
図２９は、画像を移動させた場合の画面の表示の変化を示す図である。同図（Ａ）は、オリジナルの画像を表示した状態を示しており、同図（Ｂ）は、画像を左方向に移動させた場合の画面の表示を示している。
【０２６１】
図２８及び図２９に示すように、画像調整の画面にはズームバーＺＢが表示される。ズームバーＺＢは、画像のズーム状態をバー表示したものである。ズームバーＺＢは、画面の余白領域に表示される。
【０２６２】
この後、システムコントローラー２４０は、画像の調整が完了したか否かを判定する（ステップＳ５２ｈ）。ここで、画像の調整は、ＯＫボタン２４ａを押圧することにより完了する。したがって、ユーザーは、コマンドダイヤル２４ｂの操作で画像を調整し、所望の画像に調整された段階でＯＫボタン２４ａを押圧して、調整作業を完了させる。システムコントローラー２４０は、操作部２４８からの信号に基づいて、ＯＫボタン２４ａが押圧されたか否かを判定し、画像の調整が完了したか否かを判定する。
【０２６３】
画像の調整が完了すると、システムコントローラー２４０は、ｎ＝ｋであるか否かを判定する（ステップＳ５２ｉ）。ここで、ｋは、選択されたフレームレイアウトのフレームの分割数である。すなわち、ここでは、すべてのフレームに対する画像の設定が完了したか否かを判定する。なお、フレームの分割数であるので、左右２分割フレーム及び上下２分割フレームの場合はｋ＝２、４分割フレームの場合はｋ＝４となる。
【０２６４】
ｎ＝ｋではないと判定すると、システムコントローラー２４０は、ｎ←ｎ＋１として、現在のｎ値に１を加算する（ステップＳ５２ｊ）。そして、システムコントローラー２４０は、画像の設定が完了したフレームに表示されている画像の明度を下げ（ステップＳ５２ｋ）、次のフレームの画像の選択処理を開始する。すなわち、ステップＳ５２ｂに戻り、次のフレームに画像を表示して、そのフレームに対する画像の選択処理を行う。
【０２６５】
ここで、次のフレームに表示される画像は、直前のフレームで選択された画像の次のコマ番号の画像が表示される。したがって、たとえば、直前のフレームでコマ番号０００１の画像が選択されていた場合、次のフレームには、コマ番号０００２の画像が表示される。この際、配置するフレームに対応する部分の画像が切り出されて表示される。
【０２６６】
図３０は、左右２分割フレームにおいて第２フレームの画像を選択する場合のモニターの画面表示の一例を示す図である。なお、同図（Ａ）は、第２フレームに対する画像の選択開始直後の画面表示の一例を示している。また、同図（Ｂ）、（Ｃ）、（Ｄ）は、順方向にコマ送りした場合の画面の表示の一例を示している。
【０２６７】
同図に示すように、第２フレームには、元の画像から第２フレームに対応する部分の画像が切り出されて表示される。
【０２６８】
また、同図に示すように、画像の設定が完了した第１フレームに表示される画像は、その明度が一定量下げられて表示される。このように、配置する画像の設定が完了したフレームに表示される画像と、配置する画像を設定中のフレームに表示される画像との間で、明度に差を付けて表示することにより、一見して画像の設定が完了しているフレームと、画像の設定が完了していないフレームとを区別できる。これにより、視認性を向上でき、より良好な操作性を提供できる。
【０２６９】
図３０（Ａ）〜（Ｄ）に示すように、コマンドダイヤル２４ｂを操作して画像をコマ送りすることにより、第２フレームに表示される画像が順次切り換わる。
【０２７０】
第２フレームに配置する画像を選択し（ステップＳ５２ｂ〜Ｓ５２ｅ）、選択した画像の調整が完了すると（ステップＳ５２ｆ〜Ｓ５２ｈ）、すべてのフレームに対する画像の設定が完了する。
【０２７１】
システムコントローラー２４０は、ステップＳ５２ｉにおいて、ｎ＝ｋであると判定すると、すべてのフレームに対する画像の設定が完了したと判定する。これにより、各フレームに配置する画像の設定処理が完了する。
【０２７２】
図２１に示すように、各フレームに配置する画像の設定処理が完了すると、システムコントローラー２４０は、完成した画像をモニター２２にプレビューする（ステップＳ５３）。
【０２７３】
図３１は、完成した画像がプレビューされたモニターの画面表示の一例を示す図である。
【０２７４】
同図に示すように、作成した画像Ｉｍがモニター２２の画面中央に表示される。また、これと同時にプリントの実行を問い合わせるダイアログＤＬがモニター２２に表示される。ダイアログＤＬは、画面の下縁から表示される。
【０２７５】
ユーザーは、プレビューされている画像をプリントする場合は、ダイアログＤＬの表示に従ってＯＫボタン２４ａを押圧する。これにより、プリントの実行が指示される。
【０２７６】
プリントの実行が指示されると、システムコントローラー２４０は、プリント処理を実行する（ステップＳ５５）。そして、そのプリント処理に連動して、プリントアニメーションの処理を実行する（ステップＳ５６）。すなわち、プレビュー中の画像をインスタントフィルム１１０の排出方向ｆに沿って移動させて、画面から消去する。この際、システムコントローラー２４０は、まず、表示中の画像を枠に収めてモニター２２に表示し（図１４（Ａ）参照）、その後、枠に収めた画像をインスタントフィルム１１０の排出方向ｆに沿って移動させて、画面から消去する（図１４（Ｂ）〜（Ｄ）参照）。これにより、モニター２２の表示から一見して画像Ｉｍがプリントされることを把握でき、かつ、プリントの排出方向も把握できる。消去後は、プリント確認用画像をモニター２２に表示する（図１３参照）。これにより、プリントした画像を再度確認できる。
【０２７７】
この後、システムコントローラー２４０は、プリントした画像を内部メモリー２２２に記録し（ステップＳ５７）、分割プリントの処理を終了する。
【０２７８】
なお、分割プリントの処理が終了すると、システムコントローラー２４０は、プリンター付きデジタルカメラ１の動作モードを再生モードに切り換える。この場合、分割プリントのプリントモードに切り換える前にモニター２２に表示されていた画像が、モニター２２に表示される。
【０２７９】
以上のように、分割プリントのプリントモードに設定することにより、複数の画像を組み合わせた画像を作成し、１枚のインスタントフィルム１１０にプリントできる。画像の作成は、フレームレイアウトを選択し、各フレームに配置する画像を選択するだけなので、簡単に作成できる。また、各フレームにおいて、画像の調整ができるので、所望の構図の画像を作成できる。更に、画像の選択、調整等の操作は、背面操作部２４で全てできるので、良好な操作性で画像を作成できる。特に、本実施の形態のプリンター付きデジタルカメラ１は、親指のみで背面操作部２４を操作できるので、良好な操作性で画像を作成できる。
【０２８０】
◆◆変形例◆◆
［分割プリントの変形例］
《フレームレイアウト》
上記実施の形態では、選択可能なフレームレイアウトとして、左右２分割フレーム、上下２分割フレーム、及び、４分割フレームの３つのフレームレイアウトを提示しているが、フレームレイアウトは、これに限定されるものではない。上下方向に３等分割したフレームレイアウト、左右方向に４等分割したフレームレイアウト、グリッド状に８分割したフレームレイアウト等、種々の形態を採用できる。
【０２８１】
また、フレームレイアウトをユーザーがマニュアルで設定できるようにしてもよい。この場合、たとえば、左右方向に分割、上下方向に分割、グリッド状に分割等の分割の形態と、分割数とをユーザーが選択できるように構成し、所望のフレームレイアウトをユーザーがマニュアルで選択できるように構成する。
【０２８２】
また、上記実施の形態では、フレームレイアウトを選択する際、選択可能なフレームレイアウトを一覧表示して、所望のフレームレイアウトをユーザーに選択させる構成としているが、フレームレイアウトの選択方法は、これに限定されるものではない。選択可能なフレームレイアウトを操作部の操作に基づいて１つずつモニター２２に表示して、所望のフレームレイアウトをユーザーに選択させる構成とすることもできる。
【０２８３】
《画像を選択するフレームの順番》
上記実施の形態では、画像を選択するフレームの順番が、あらかじめ定められているが、画像を選択するフレームをユーザーが任意に選択できるようにしてもよい。この場合、たとえば、コマンドダイヤル２４ｂの押圧又は回転操作によって、フレームを選択し、その後、選択したフレームに対して画像の選択処理を行うように構成する。
【０２８４】
なお、上記実施の形態のように、画像を選択するフレームの順番をあらかじめ定めておくことにより、画像を選択するフレームを自動的に切り換えることができ、効率よく画像を作成できる。
【０２８５】
《配置する画像の設定が完了したフレームに表示される画像の表示形態》
上記実施の形態では、配置する画像の設定が完了したフレームに表示される画像の明度を下げることで、配置する画像を設定中のフレームに表示される画像と区別できるようにしているが、両者を区別可能にする表示形態は、これに限定されるものではない。この他、たとえば、配置する画像の設定が完了したフレームに表示される画像と、配置する画像を設定中のフレームに表示される画像との間で画像の彩度に差を付けることで、両者を区別可能に表示してもよい。また、配置する画像の設定が完了したフレームに表示される画像と、配置する画像を設定中のフレームに表示される画像との間で画像の明度及び彩度に差を付けることで、両者を区別可能に表示してもよい。
【０２８６】
また、配置する画像の設定が完了したフレームに対して、設定済みであることを示すマークを表示して、両者を区別できるようにしてもよい。
【０２８７】
図３２は、設定済みであることを示すマークを表示して、画像設定済みのフレームと画像設定中のフレームとを区別できるようにする場合のモニターの画面表示の一例を示す図である。
【０２８８】
同図に示すように、配置する画像の設定が完了したフレームには、設定済みであることを示すマークＭｒが表示される。マークＭｒは、いわゆるチェックマークで構成され、フレーム内の所定位置に表示される。図３２に示す例では、フレームの右上隅にマークを表示している。このマークＭｒを視認することにより、一目で画像設定済みのフレームであることを認識できる。
【０２８９】
なお、図３２に示す例では、画像の明度も変えているが、マークＭｒを表示する場合は、画像の明度は、必ずしも変える必要はない。
【０２９０】
《操作ガイドの表示》
上記実施の形態では、各フレームに配置する画像の設定処理時に常に操作ガイドを表示させているが、操作ガイドの表示をユーザーが任意にＯＮ、ＯＦＦできるようにしてもよい。また、操作ガイドの表示をＯＦＦした場合は、フレームレイアウトを最大化させて、画面に表示することが好ましい。
【０２９１】
図３３は、操作ガイドの表示の他の一例を示す図である。
【０２９２】
同図に示すように、操作ガイドＧは、画像を設定しているフレームの近傍に表示することもできる。このように、画像を設定しているフレームの近傍に表示することにより、画像を設定しているフレームを明確にでき、良好な操作性を提供できる。
【０２９３】
なお、図３３（Ａ）は、上下２分割フレームにおいて、画面上側の第１フレームに配置する画像を設定している最中のモニターの画面表示の例を示している。また、図３３（Ｂ）は、上下２分割フレームにおいて、画面下側の第２フレームに配置する画像を設定している最中のモニターの画面表示の例を示している。
【０２９４】
同図に示すように、画像設定中の画像に重ならないように、画像設定中のフレームを避けて、その近傍に操作ガイドＧを表示する。
【０２９５】
具体的には、図３３（Ａ）に示すように、画像設定中のフレームが、画面上側のフレーム（第１フレーム）の場合、画面上側のフレームに表示中の画像に重ならないように、画面上側のフレームを避けて、その近傍に操作ガイドＧが表示される。より具体的には、画面上側のフレームと画面下側のフレームとの境界の近傍であって、画面上側のフレームに表示中の画像に重ならない位置に操作ガイドＧが表示される。
【０２９６】
また、図３３（Ｂ）に示すように、画像設定中のフレームが、画面下側のフレーム（第２フレーム）の場合、画面下側のフレームに表示中の画像に重ならないように、画面下側のフレームを避けて、その近傍に操作ガイドＧが表示される。より具体的には、画面上側のフレームと画面下側のフレームとの境界の近傍であって、画面下側のフレームに表示中の画像に重ならない位置に操作ガイドＧが表示される。
【０２９７】
このように、操作ガイドＧを適宜移動させて表示することにより、画面が小さなモニターであっても、良好な視認性を確保できる。
【０２９８】
図３３は、上下２分割フレームの例であるが、４分割フレームの場合も同様に、画面上側のフレーム（第１フレーム及び第２フレーム）の画像を設定する場合と、画面下側のフレーム（第３フレーム及び第４フレーム）とで、操作ガイドの表示位置を変えることにより、画像設定中のフレームに対して、良好な視認性を確保できる。
【０２９９】
《フレーム内での画像の調整》
上記実施の形態では、調整可能な項目がフレーム内での画像のズーム及び移動のみであるが、調整可能とする項目は、これに限定されるものではない。この他、たとえば、画像の明度、彩度、シャープネス、色調等を調整できるようにしてもよい。なお、この場合も背面操作部２４の操作で調整可能とすることが好ましい。
【０３００】
《画像のプリント》
上記実施の形態のように、分割プリントする場合は、すべてのフレームに対する画像の設定が完了した場合にのみ、プリントできるようにすることが好ましい。この場合、上記実施の形態のように、すべてのフレームに対する画像の設定が完了した場合にのみプリントの指示が受け付けられるように構成することが好ましい。
【０３０１】
なお、上記実施の形態では、すべてのフレームに対する画像の設定が完了すると、自動的にプリントの実行を問い合わせるダイアログが表示される構成とされているが、プリントの指示に応じて、プリントの実行を問い合わせるダイアログが表示させる構成とすることもできる。この場合、たとえば、すべてのフレームに対する画像の設定が完了すると、作成された画像がモニター２２にプレビューされる構成とする。そして、プレビュー中にプリントボタン２４ｃ４が押圧されると、プリントの実行を問い合わせるダイアログがモニター２２に表示される構成とする。
【０３０２】
《フィルム残量の表示》
プリントモードに設定された場合、モニター２２にはフィルム残量を表示してもよい（図１１参照）。フィルム残量は、サイドバーなどの画面の余白領域に表示することが好ましい。
【０３０３】
《操作部》
上記実施の形態では、主として、コマンドダイヤル２４ｂとＯＫボタン２４ａの操作で画像の選択、及び、画像の調整を行う構成としているが、操作の形態は、これに限定されるものではない。
【０３０４】
しかしながら、上記実施の形態のように、１つの操作部（背面操作部２４）として構成されるコマンドダイヤル２４ｂとＯＫボタン２４ａの操作で画像の選択、及び、画像の調整を行うことにより、良好な操作性を提供できる。
【０３０５】
なお、上記実施の形態では、コマンドダイヤル２４ｂが、回転ダイヤルの機能と方向キーの機能を兼ねているが、それぞれを別の操作部材で構成してもよい。ただし、この場合もリング状の操作部材で構成し、同心円上に配置することが好ましい。
【０３０６】
［プリント確認用画像の表示の変形例］
上記実施の形態では、プリントした画像を画面から完全に消去した後、プリント確認用画像をモニター２２に表示しているが、プリント確認用画像をモニター２２にあらかじめ表示しておいてもよい。
【０３０７】
図３４は、プリント確認用画像をあらかじめ表示しておく場合のプリントアニメーションの一例を示す図である。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０３０８】
図３４（Ａ）〜（Ｄ）に示すように、画面から消去する画像Ｉｍの下に重ねてプリント確認用画像Ｉｍ１が表示される。プリント確認用画像Ｉｍ１は、画面から消去する画像Ｉｍが表示されていた位置に固定して表示される。画面から消去する画像Ｉｍは、プリント確認用画像Ｉｍ１の上を滑るように移動して画面から消去される。このため、プリント確認用画像Ｉｍ１は、徐々にモニター２２の画面に表示される。
【０３０９】
このように、あらかじめプリント確認用画像Ｉｍ１をモニター２２に表示しておくことにより、画面表示がスムーズに切り換わり、違和感のない表示を実現できる。
【０３１０】
なお、上記実施の形態では、プリント確認用画像として、明度を下げた画像を表示しているが、プリント確認用画像として表示する画像は、これに限定されるものではない。この他たとえば、彩度を下げた画像、明度及び彩度を下げた画像等をプリント確認用画像として表示できる。
【０３１１】
［プリントアニメーション］
《枠の表示方法》
上記実施の形態では、画像をプリントする際、モニター２２に表示されている画像を一旦枠に収めて表示し、その後、当該画像を排出方向に沿って移動させて、画面から消去している。プリントする画像を枠に収めて表示する際、その表示をアニメーションで表示してもよい。たとえば、モニター２２に表示されている画像を徐々に縮小させて、その周囲に枠を徐々に出現させる。
【０３１２】
《画像の表示方向》
本実施の形態のプリンター付きデジタルカメラ１は、モニター２２に表示される画像の向きと、プリント排出口２８から排出されるインスタントフィルム上の画像の向きとが異なる。このようにモニター上の画像の向きとインスタントフィルム上の画像の向きとが異なる場合は、モニター上の画像の向きとインスタントフィルム上の画像の向きとを一致させてから、モニター上の画像を画面から消去する構成としてもよい。
【０３１３】
［インスタントフィルムの排出方向］
上記実施の形態では、インスタントフィルム１１０をカメラボディー１０の天面から上方向に排出する構成としているが、インスタントフィルム１１０を排出する方向は、これに限定されるものではない。この他、たとえば、カメラボディー１０の底面から下方向に排出する構成、右側面から右方向に排出する構成、左側面から左方向に排出する構成等を採用できる。プリントした画像をモニター２２から消去する場合は、インスタントフィルム１１０の排出方向に沿って画像を移動させて消去する。
【０３１４】
《画像の移動》
プリントする画像を画面から消去する際、インスタントフィルムの排出速度に同期して画像を移動させて、画面から消去することが好ましい。これにより、モニター２２の表示から一見してインスタントフィルム１１０の排出状況を把握できる。
【０３１５】
［プリントする画像］
上記実施の形態では、１つのインスタントフィルムに１つの画像をプリントする場合を例に説明したが、１つのインスタントフィルムに複数枚の画像をプリントできるようにしてもよい（いわゆる分割プリント）。この場合、１画面を複数の領域に分割し、各領域に画像を当てはめて１枚の画像を生成する。
【０３１６】
また、画像を加工してプリントできるようにしてもよい。たとえば、マニュアルモードの場合、プレビューした撮影画像を加工してプリントできるようにする。この場合、加工後の画像をプリントし、かつ、内部メモリー２２２に記録する。また、再生モードの場合は、再生中の画像に対して加工し、プリントできるようにする。
【０３１７】
［プリントする画像の取得方法］
上記実施の形態では、撮影した画像をプリントする場合を例に説明したが、外部機器から取得した画像をプリントできる構成とすることもできる。この場合、外部機器と通信する通信部が備えられる。
【０３１８】
［記憶部の変形例］
上記実施の形態では、撮影した画像を内部メモリー２２２に記録する構成としているが、メモリーカード等の着脱可能なストレージデバイスに記録する構成とすることもできる。この場合、カメラボディー１０にカードスロットが備えられる。
【０３１９】
［プリンター単体への適用］
上記実施の形態では、本発明をプリンター付きデジタルカメラに適用した場合を例に説明したが、本発明の適用は、これに限定されるものではない。プリンター単体でも適用できる。
【０３２０】
［プリント方式］
上記実施の形態では、メディアとしてインスタントフィルムを使用し、露光ヘッドを用いて画像をプリントする場合を例に説明したが、使用するメディア、及び、プリントの方式は、これに限定されるものではない。この他、たとえば、メディアとして感熱紙を使用し、サーマルヘッドを用いて画像をプリントする構成とすることもできる。また、インクリボンとサーマルヘッドとを使用してメディアにプリントする構成、インクジェットヘッドを使用してメディアにプリントする構成とすることもできる。
【０３２１】
［その他の変形例］
バッテリーの残量を監視し、バッテリー残量が一定以下になると、プリントの受け付けを停止するようにしてもよい。これにより、プリント中にバッテリーが切れるのを防止できる。
【符号の説明】
【０３２２】
１  プリンター付きデジタルカメラ
１０  カメラボディー
１０Ａ  本体部
１０Ｂ  裏蓋部
１０Ｃ  ヒンジ部
１２  撮影レンズ
１２ａ  絞り
１２ｂ  シャッター
１４  電源リング
１６Ａ  第１レリーズボタン
１６Ｂ  第２レリーズボタン
１８  フラッシュ
２０  補助光ランプ
２２  モニター
２４  背面操作部
２４ａ  ＯＫボタン
２４ｂ  コマンドダイヤル
２４ｃ１  第１の機能ボタン（ビネットボタン）
２４ｃ２  第２の機能ボタン（エフェクトボタン）
２４ｃ３  第３の機能ボタン（明るさボタン）
２４ｃ４  第４の機能ボタン（プリントボタン）
２４ｃ５  第５の機能ボタン（バックボタン）
２４ｃ６  第６の機能ボタン（再生ボタン）
２６  撮影モード切換レバー
２８  プリント排出口
３０  ロック解除レバー
４２  イメージセンサー
５０  フィルム装填室
５２  フィルム送出機構
５２ａ  クロー
５４  フィルム搬送機構
５４Ａ  搬送ローラー対
５４Ｂ  展開ローラー対
５６  プリントヘッド
１００  インスタントフィルムパック
１１０  インスタントフィルム
１１０ａ  露光面
１１０ｂ  観察面
１１２  露光部
１１４  ポッド部
１１４ａ  現像処理液ポッド
１１６  トラップ部
１１６ａ  吸収材
１１８  観察部
１１８ａ  枠
１２０  ケース
１２０ａ  開口部
１２０ｂ  排出口
１２０ｃ  クロー開口部
２１２  撮影レンズ駆動部
２１４  イメージセンサー駆動部
２１６  アナログ信号処理部
２１８  画像データ入力部
２２０  デジタル信号処理部
２２２  内部メモリー
２３０  フィルム送出機構駆動部
２３２  フィルム搬送機構駆動部
２３４  プリントヘッド駆動部
２３６  プリント用画像信号処理部
２４０  システムコントローラー
２４０ａ  画像選択部
２４０ｂ  フレームレイアウト選択部
２４０ｃ  画像調整部
２４０ｄ  操作ガイド表示制御部
２４０ｅ  プリント指示受付部
２４０ｆ  記録制御部
２４０ｇ  撮影制御部
２４２  ワークメモリー
２４４  データメモリー
２４６  モニター駆動部
２４８  操作部
２５０  電源部
ＤＬ  ダイアログ
Ｆ  インスタントフィルムの使用方向
ｆ  インスタントフィルムの排出方向
ＦＬ  フレームレイアウト
Ｆｌ  枠
Ｇ  操作ガイド
Ｉｍ  画像
Ｉｍ１  プリント確認用画像
ＬＶＩ  ライブビュー画像
Ｍｒ  設定済みであることを示すマーク
ＳＢＬ  サイドバー
ＳＢＲ  サイドバー
ＺＢ  ズームバー
Ｓ１０〜Ｓ１７  オートモードでの処理手順
Ｓ２０〜Ｓ２９  マニュアルモードでの処理手順
Ｓ３０〜Ｓ３６  再生モードの処理手順
Ｓ４０〜Ｓ４６  １コマプリントの処理手順
Ｓ５０〜Ｓ５７  分割プリントの処理手順
Ｓ５２ａ〜Ｓ５２ｋ  各フレームに配置する画像の設定処理の手順
【図１】
2018094839.tif 000003
【図２】
2018094839.tif 000004
【図３】
2018094839.tif 000005
【図４】
2018094839.tif 000006
【図５】
2018094839.tif 000007
【図６】
2018094839.tif 000008
【図７】
2018094839.tif 000009
【図８】
2018094839.tif 000010
【図９】
2018094839.tif 000011
【図１０】
2018094839.tif 000012
【図１１】
2018094839.tif 000013
【図１２】
2018094839.tif 000014
【図１３】
2018094839.tif 000015
【図１４】
2018094839.tif 000016
【図１５】
2018094839.tif 000017
【図１６】
2018094839.tif 000018
【図１７】
2018094839.tif 000019
【図１８】
2018094839.tif 000020
【図１９】
2018094839.tif 000021
【図２０】
2018094839.tif 000022
【図２１】
2018094839.tif 000023
【図２２】
2018094839.tif 000024
【図２３】
2018094839.tif 000025
【図２４】
2018094839.tif 000026
【図２５】
2018094839.tif 000027
【図２６】
2018094839.tif 000028
【図２７】
2018094839.tif 000029
【図２８】
2018094839.tif 000030
【図２９】
2018094839.tif 000031
【図３０】
2018094839.tif 000032
【図３１】
2018094839.tif 000033
【図３２】
2018094839.tif 000034
【図３３】
2018094839.tif 000035
【図３４】
2018094839.tif 000036